(57)【要約】  本発明の実施形態は、非直交多元接続送信方法、基地局、及びＵＥであって、前記方法は、第１ＵＥに対して新送信モードを構成し、前記構成された新送信モードを前記第１ＵＥに通知するステップであって、前記新送信モードは、前記第１ＵＥと同一セル内に位置する第２ＵＥの送信信号が前記第１ＵＥに割り当てられた時間周波数リソースに重畳され及び第２ＵＥが前記第１ＵＥの干渉ＵＥであることを示す、ステップと、前記第１ＵＥへ第１ダウンリンク制御シグナリングを送信するステップであって、前記第１ＵＥが、前記第１ダウンリンク制御シグナリングに従い、前記基地局により送信された受信データを復調できるようにし、前記第１ダウンリンク制御シグナリングは、前記第１ＵＥのスケジューリング指示情報と前記第２ＵＥのスケジューリング指示情報とを有する、ステップと、を含む。本発明の実施形態では、スペクトル利用が向上できる。
2018505614.tif 000002
【特許請求の範囲】
【請求項１】
基地局であって、
第１構成ユニットであって、第１ユーザ機器ＵＥに対して新送信モードを構成し、前記構成された新送信モードを前記第１ＵＥに通知するよう構成され、前記新送信モードは、前記第１ＵＥと同一セル内に位置する第２ＵＥの送信信号が前記第１ＵＥに割り当てられた時間周波数リソースに重畳され及び第２ＵＥが前記第１ＵＥの干渉ＵＥであることを示す、第１構成ユニットと、
第１送信ユニットであって、前記第１ＵＥへ第１ダウンリンク制御シグナリングを送信するよう構成され、前記第１ＵＥが、前記第１ダウンリンク制御シグナリングに従い、前記基地局により送信された受信データを復調できるようにし、前記第１ダウンリンク制御シグナリングは、前記第１ＵＥのスケジューリング指示情報と前記第２ＵＥのスケジューリング指示情報とを有する、第１送信ユニットと、
を含む基地局。
【請求項２】
前記第１構成ユニットが前記第１ＵＥに対して前記新送信モードを構成し、前記第１ＵＥがユーザ固有参照信号を用いることによりデータを復調し、前記第２ＵＥが前記ユーザ固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの前記第１ＵＥのデータのＥＰＲＥに対する比、トランスポート層の量、又はアンテナポート情報、のうち１又は複数の種類を有し、及び前記第１ダウンリンク制御シグナリングの中の前記第２ＵＥの前記スケジューリング指示情報は、具体的には、前記第２ＵＥの以下の情報：無線ネットワーク一時識別子、変調及び符号化方式、アンテナポート情報、前記パイロットの前記ＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する、請求項１に記載の基地局。
【請求項３】
前記第１構成ユニットが前記第１ＵＥに対して前記新送信モードを構成し、前記第１ＵＥがユーザ固有参照信号を用いることによりデータを復調し、前記第２ＵＥがセル固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、
前記第１ダウンリンク制御シグナリングの中の前記第２ＵＥの前記スケジューリング指示情報は、具体的には、前記第２ＵＥの以下の情報：無線ネットワーク一時識別子、変調及び符号化方式、パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、前記第２ＵＥがロングタームエボリューションＬＴＥにおける送信モード３を用いるとき、前記第１ダウンリンク制御シグナリングは、前記第２ＵＥのトランスポート層の量を更に有し、前記第２ＵＥが前記ＬＴＥにおける送信モード４を用いるとき、前記第１ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記第１ダウンリンク制御シグナリングは、前記第２ＵＥのプリコーディング情報を更に有する、
請求項１に記載の基地局。
【請求項４】
前記第１送信ユニットは、前記第２ＵＥへ第２ダウンリンク制御シグナリングを送信するよう更に構成され、前記第２ダウンリンク制御シグナリングは、前記第１ＵＥの復調参照信号ポート情報及び前記第２ＵＥのスケジューリング指示情報を有し、前記第２ダウンリンク制御シグナリングの中の前記第２ＵＥの前記スケジューリング指示情報は、具体的には、前記第２ＵＥの以下の情報：リソース位置指示、変調及び符号化方式、ハイブリッド自動再送要求プロセスの量、新規データ指示子情報、又は反復バージョン情報、のうちの１又は複数の種類を有する、
請求項２又は３に記載の基地局。
【請求項５】
前記第１構成ユニットが前記第１ＵＥに対して前記新送信モードを構成し、前記第１ＵＥがセル固有参照信号を用いることによりデータを復調し、前記第２ＵＥが前記セル固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、
前記第１ダウンリンク制御シグナリングの中の前記第２ＵＥの前記スケジューリング指示情報は、具体的には、前記第２ＵＥの以下の情報：パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、前記第２ＵＥがロングタームエボリューションＬＴＥにおける送信モード３を用いるとき、前記第１ダウンリンク制御シグナリングは、前記第２ＵＥのトランスポート層の量を更に有し、前記第２ＵＥが前記ＬＴＥにおける送信モード４を用いるとき、前記第１ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記第１ダウンリンク制御シグナリングは、前記第２ＵＥのプリコーディング情報を更に有する、
請求項１に記載の基地局。
【請求項６】
前記第１構成ユニットが前記第１ＵＥに対して前記新送信モードを構成し、前記第１ＵＥがセル固有参照信号を用いることによりデータを復調し、前記第２ＵＥがユーザ固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び前記第１ダウンリンク制御シグナリングの中の前記第２ＵＥの前記スケジューリング指示情報は、具体的には、前記第２ＵＥの以下の情報：無線ネットワーク一時識別子、送信モード、変調及び符号化方式、アンテナポート情報、トランスポート層の量、前記第１ＵＥのデータのリソースエレメント当たりのエネルギＥＰＲＥの前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する、請求項１に記載の基地局。
【請求項７】
前記第１ダウンリンク制御シグナリングの中の前記第２ＵＥの前記スケジューリング指示情報は、具体的には、前記第２ＵＥの新規データ指示子情報及び／又は反復バージョン情報を更に有する、請求項２乃至６のいずれか一項に記載の基地局。
【請求項８】
基地局であって、
第２構成ユニットであって、第１ユーザ機器ＵＥ及び第２ＵＥに対して新送信モードを構成し、前記第１ＵＥ及び前記第２ＵＥに前記構成した新送信モードを通知するよう構成され、前記新送信モードは、前記第１ＵＥの送信信号及び前記第２ＵＥの送信信号が、同じ時間周波数リソースに多重化され、前記第１ＵＥ及び前記第２ＵＥは同一セル内に位置し、前記第１ＵＥ及び前記第２ＵＥは互いの干渉ＵＥである、ことを示す、第２構成ユニットと、
第２送信ユニットであって、前記第１ＵＥ及び前記第２ＵＥへ同じダウンリンク制御シグナリングを送信して、前記第１ＵＥ及び前記第２ＵＥが前記ダウンリンク制御シグナリングに従い、前記基地局により送信された受信データを復調できるようにするよう構成され、前記ダウンリンク制御シグナリングは、前記第１ＵＥのスケジューリング指示情報及び前記第２ＵＥのスケジューリング指示情報を有する、第２送信ユニットと、
を含む基地局。
【請求項９】
前記第１ＵＥの前記スケジューリング指示情報は、具体的には、前記第１ＵＥの以下の情報：リソース位置指示、変調及び符号化方式、パイロットのリソースエレメント当たりのエネルギＥＰＲＥの前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、前記第２ＵＥの前記スケジューリング指示情報は、具体的には、前記第２ＵＥの以下の情報：リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する、請求項８に記載の基地局。
【請求項１０】
ユーザ機器ＵＥであって、前記ＵＥは、第１ＵＥであり、
受信ユニットであって、新送信モードのものであり且つ基地局により送信される構成情報を受信するよう構成され、前記新送信モードは、前記基地局が、前記基地局により前記第１ＵＥに割り当てられた時間周波数リソースに、前記第１ＵＥと同一セル内に位置する第２ＵＥの送信信号を重畳し、前記第２ＵＥが前記第１ＵＥの干渉ＵＥであることを示し、
前記受信ユニットは、前記新送信モードで、前記基地局により送信されたダウンリンク制御シグナリングを受信するよう更に構成され、前記ダウンリンク制御シグナリングは、前記第１ＵＥのスケジューリング指示情報及び前記第２ＵＥのスケジューリング指示情報を有する、受信ユニットと、
復調ユニットであって、前記ダウンリンク制御シグナリングに従い、前記基地局により送信された受信データを復調するよう構成される、復調ユニットと、
を含むＵＥ。
【請求項１１】
前記新送信モードで、前記第１ＵＥがユーザ固有参照信号を用いることによりデータを復調し、前記第２ＵＥが前記ユーザ固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの前記第１ＵＥのデータのＥＰＲＥに対する比、トランスポート層の量、又はアンテナポート情報、のうち１又は複数の種類を有し、及び前記ダウンリンク制御シグナリングの中の前記第２ＵＥの前記スケジューリング指示情報は、具体的には、前記第２ＵＥの以下の情報：無線ネットワーク一時識別子、変調及び符号化方式、アンテナポート情報、前記パイロットの前記ＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する、請求項１０に記載のＵＥ。
【請求項１２】
前記新送信モードで、前記第１ＵＥがユーザ固有参照信号を用いることによりデータを復調し、前記第２ＵＥがセル固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、
前記ダウンリンク制御シグナリングの中の前記第２ＵＥの前記スケジューリング指示情報は、具体的には、前記第２ＵＥの以下の情報：無線ネットワーク一時識別子、変調及び符号化方式、パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、前記第２ＵＥがロングタームエボリューションＬＴＥにおける送信モード３を用いるとき、前記ダウンリンク制御シグナリングは、前記第２ＵＥのトランスポート層の量を更に有し、前記第２ＵＥが前記ＬＴＥにおける送信モード４を用いるとき、前記ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記ダウンリンク制御シグナリングは、前記第２ＵＥのプリコーディング情報を更に有する、
請求項１０に記載のＵＥ。
【請求項１３】
前記新送信モードで、前記第１ＵＥがセル固有参照信号を用いることによりデータを復調し、前記第２ＵＥが前記セル固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、
前記ダウンリンク制御シグナリングの中の前記第２ＵＥの前記スケジューリング指示情報は、具体的には、前記第２ＵＥの以下の情報：パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、前記第２ＵＥがロングタームエボリューションＬＴＥにおける送信モード３を用いるとき、前記ダウンリンク制御シグナリングは、前記第２ＵＥのトランスポート層の量を更に有し、前記第２ＵＥが前記ＬＴＥにおける送信モード４を用いるとき、前記ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記ダウンリンク制御シグナリングは、前記第２ＵＥのプリコーディング情報を更に有する、
請求項１０に記載のＵＥ。
【請求項１４】
前記新送信モードで、前記第１ＵＥがセル固有参照信号を用いることによりデータを復調し、前記第２ＵＥがユーザ固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び前記ダウンリンク制御シグナリングの中の前記第２ＵＥの前記スケジューリング指示情報は、具体的には、前記第２ＵＥの以下の情報：無線ネットワーク一時識別子、送信モード、変調及び符号化方式、アンテナポート情報、トランスポート層の量、前記第１ＵＥのデータのリソースエレメント当たりのエネルギＥＰＲＥの前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する、請求項１０に記載のＵＥ。
【請求項１５】
前記ダウンリンク制御シグナリングの中の前記第２ＵＥの前記スケジューリング指示情報は、具体的には、前記第２ＵＥの新規データ指示子情報及び／又は反復バージョン情報を更に有する、請求項１１乃至１４のいずれか一項に記載のＵＥ。
【請求項１６】
前記第２ＵＥも前記新送信モードの前記構成情報及び前記ダウンリンク制御シグナリングを受信する場合、前記ダウンリンク制御シグナリングの中の前記第１ＵＥの前記スケジューリング指示情報は、具体的には、前記第１ＵＥの以下の情報：リソース位置指示、変調及び符号化方式、パイロットのリソースエレメント当たりのエネルギＥＰＲＥの前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、前記ダウンリンク制御シグナリングの中の前記第２ＵＥの前記スケジューリング指示情報は、具体的には、前記第２ＵＥの以下の情報：リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する、請求項１０に記載のＵＥ。
【請求項１７】
基地局であって、第１プロセッサ及び第１送信機を含み、
前記第１プロセッサは、第１ユーザ機器ＵＥに対して新送信モードを構成し、前記構成された新送信モードを前記第１ＵＥに通知するよう構成され、前記新送信モードは、前記第１ＵＥと同一セル内に位置する第２ＵＥの送信信号が前記第１ＵＥに割り当てられた時間周波数リソースに重畳され及び第２ＵＥが前記第１ＵＥの干渉ＵＥであることを示し、
前記第１プロセッサは、前記第１ＵＥへ第１ダウンリンク制御シグナリングを送信するよう前記第１送信機を制御して、前記第１ＵＥが、前記第１ダウンリンク制御シグナリングに従い、前記基地局により送信された受信データを復調できるようにするよう更に構成され、前記第１ダウンリンク制御シグナリングは、前記第１ＵＥのスケジューリング指示情報と前記第２ＵＥのスケジューリング指示情報とを有する、
基地局。
【請求項１８】
前記第１プロセッサが前記第１ＵＥに対して前記新送信モードを構成し、前記第１ＵＥがユーザ固有参照信号を用いることによりデータを復調し、前記第２ＵＥが前記ユーザ固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの前記第１ＵＥのデータのＥＰＲＥに対する比、トランスポート層の量、又はアンテナポート情報、のうち１又は複数の種類を有し、及び前記第１ダウンリンク制御シグナリングの中の前記第２ＵＥの前記スケジューリング指示情報は、具体的には、前記第２ＵＥの以下の情報：無線ネットワーク一時識別子、変調及び符号化方式、アンテナポート情報、前記パイロットの前記ＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する、請求項１７に記載の基地局。
【請求項１９】
前記第１プロセッサが前記第１ＵＥに対して前記新送信モードを構成し、前記第１ＵＥがユーザ固有参照信号を用いることによりデータを復調し、前記第２ＵＥがセル固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、
前記第１ダウンリンク制御シグナリングの中の前記第２ＵＥの前記スケジューリング指示情報は、具体的には、前記第２ＵＥの以下の情報：無線ネットワーク一時識別子、変調及び符号化方式、パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、前記第２ＵＥがロングタームエボリューションＬＴＥにおける送信モード３を用いるとき、前記第１ダウンリンク制御シグナリングは、前記第２ＵＥのトランスポート層の量を更に有し、前記第２ＵＥが前記ＬＴＥにおける送信モード４を用いるとき、前記第１ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記第１ダウンリンク制御シグナリングは、前記第２ＵＥのプリコーディング情報を更に有する、
請求項１７に記載の基地局。
【請求項２０】
前記第１プロセッサは、前記第２ＵＥへ第２ダウンリンク制御シグナリングを送信するよう更に構成され、前記第２ダウンリンク制御シグナリングは、前記第１ＵＥの復調参照信号ポート情報及び前記第２ＵＥのスケジューリング指示情報を有し、前記第２ダウンリンク制御シグナリングの中の前記第２ＵＥの前記スケジューリング指示情報は、具体的には、前記第２ＵＥの以下の情報：リソース位置指示、変調及び符号化方式、ハイブリッド自動再送要求プロセスの量、新規データ指示子情報、又は反復バージョン情報、のうちの１又は複数の種類を有する、
請求項１８又は１９に記載の基地局。
【請求項２１】
前記第１プロセッサが前記第１ＵＥに対して前記新送信モードを構成し、前記第１ＵＥがセル固有参照信号を用いることによりデータを復調し、前記第２ＵＥが前記セル固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、
前記第１ダウンリンク制御シグナリングの中の前記第２ＵＥの前記スケジューリング指示情報は、具体的には、前記第２ＵＥの以下の情報：パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、前記第２ＵＥがロングタームエボリューションＬＴＥにおける送信モード３を用いるとき、前記第１ダウンリンク制御シグナリングは、前記第２ＵＥのトランスポート層の量を更に有し、前記第２ＵＥが前記ＬＴＥにおける送信モード４を用いるとき、前記第１ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記第１ダウンリンク制御シグナリングは、前記第２ＵＥのプリコーディング情報を更に有する、
請求項１７に記載の基地局。
【請求項２２】
前記第１プロセッサが前記第１ＵＥに対して前記新送信モードを構成し、前記第１ＵＥがセル固有参照信号を用いることによりデータを復調し、前記第２ＵＥがユーザ固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び前記第１ダウンリンク制御シグナリングの中の前記第２ＵＥの前記スケジューリング指示情報は、具体的には、前記第２ＵＥの以下の情報：無線ネットワーク一時識別子、送信モード、変調及び符号化方式、アンテナポート情報、トランスポート層の量、前記第１ＵＥのデータのリソースエレメント当たりのエネルギＥＰＲＥの前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する、請求項１７に記載の基地局。
【請求項２３】
前記第１ダウンリンク制御シグナリングの中の前記第２ＵＥの前記スケジューリング指示情報は、具体的には、前記第２ＵＥの新規データ指示子情報及び／又は反復バージョン情報を更に有する、請求項１８乃至２２のいずれか一項に記載の基地局。
【請求項２４】
基地局であって、第２プロセッサ及び第２送信機を有し、
前記第２プロセッサは、第１ユーザ機器ＵＥ及び第２ＵＥに対して新送信モードを構成し、前記第１ＵＥ及び前記第２ＵＥに前記構成した新送信モードを通知するよう構成され、前記新送信モードは、前記第１ＵＥの送信信号及び前記第２ＵＥの送信信号が同じ時間周波数リソースに多重化され、前記第１ＵＥ及び前記第２ＵＥは同一セル内に位置し、前記第１ＵＥ及び前記第２ＵＥは互いの干渉ＵＥである、ことを示し、
前記第２プロセッサは、前記第１ＵＥ及び前記第２ＵＥへ同じダウンリンク制御シグナリングを送信するよう前記第２送信機を制御して、前記第１ＵＥ及び前記第２ＵＥが前記ダウンリンク制御シグナリングに従い、前記基地局により送信された受信データを復調できるようにするよう更に構成され、前記ダウンリンク制御シグナリングは、前記第１ＵＥのスケジューリング指示情報及び前記第２ＵＥのスケジューリング指示情報を有する、
基地局。
【請求項２５】
前記第１ＵＥの前記スケジューリング指示情報は、具体的には、前記第１ＵＥの以下の情報：リソース位置指示、変調及び符号化方式、パイロットのリソースエレメント当たりのエネルギＥＰＲＥの前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、前記第２ＵＥの前記スケジューリング指示情報は、具体的には、前記第２ＵＥの以下の情報：リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する、請求項２４に記載の基地局。
【請求項２６】
ユーザ機器ＵＥであって、前記ＵＥは、第１ＵＥであり、第３プロセッサ及び受信機を含み、
前記第３プロセッサは、新送信モードの構成情報を受信するよう前記受信機を制御するよう構成され、前記新送信モードは、前記基地局が、前記基地局により前記第１ＵＥに割り当てられた時間周波数リソースに、前記第１ＵＥと同一セル内に位置する第２ＵＥの送信信号を重畳し、前記第２ＵＥが前記第１ＵＥの干渉ＵＥであることを示し、
前記第３プロセッサは、前記新送信モードで、前記基地局により送信されたダウンリンク制御シグナリングを受信するよう前記受信機を制御するよう更に構成され、前記ダウンリンク制御シグナリングは、前記第１ＵＥのスケジューリング指示情報及び前記第２ＵＥのスケジューリング指示情報を有し、
前記第３プロセッサは、前記ダウンリンク制御シグナリングに従い、前記基地局により送信された受信データを復調するよう更に構成される、
ＵＥ。
【請求項２７】
前記新送信モードで、前記第１ＵＥがユーザ固有参照信号を用いることによりデータを復調し、前記第２ＵＥが前記ユーザ固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの前記第１ＵＥのデータのＥＰＲＥに対する比、トランスポート層の量、又はアンテナポート情報、のうち１又は複数の種類を有し、及び前記ダウンリンク制御シグナリングの中の前記第２ＵＥの前記スケジューリング指示情報は、具体的には、前記第２ＵＥの以下の情報：無線ネットワーク一時識別子、変調及び符号化方式、アンテナポート情報、前記パイロットの前記ＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する、請求項２６に記載のＵＥ。
【請求項２８】
前記新送信モードで、前記第１ＵＥがユーザ固有参照信号を用いることによりデータを復調し、前記第２ＵＥがセル固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、
前記ダウンリンク制御シグナリングの中の前記第２ＵＥの前記スケジューリング指示情報は、具体的には、前記第２ＵＥの以下の情報：無線ネットワーク一時識別子、変調及び符号化方式、パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、前記第２ＵＥがロングタームエボリューションＬＴＥにおける送信モード３を用いるとき、前記ダウンリンク制御シグナリングは、前記第２ＵＥのトランスポート層の量を更に有し、前記第２ＵＥが前記ＬＴＥにおける送信モード４を用いるとき、前記ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記ダウンリンク制御シグナリングは、前記第２ＵＥのプリコーディング情報を更に有する、
請求項２６に記載のＵＥ。
【請求項２９】
前記新送信モードで、前記第１ＵＥがセル固有参照信号を用いることによりデータを復調し、前記第２ＵＥが前記セル固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、
前記ダウンリンク制御シグナリングの中の前記第２ＵＥの前記スケジューリング指示情報は、具体的には、前記第２ＵＥの以下の情報：パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、前記第２ＵＥがロングタームエボリューションＬＴＥにおける送信モード３を用いるとき、前記ダウンリンク制御シグナリングは、前記第２ＵＥのトランスポート層の量を更に有し、前記第２ＵＥが前記ＬＴＥにおける送信モード４を用いるとき、前記ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記ダウンリンク制御シグナリングは、前記第２ＵＥのプリコーディング情報を更に有する、
請求項２６に記載のＵＥ。
【請求項３０】
前記新送信モードで、前記第１ＵＥがセル固有参照信号を用いることによりデータを復調し、前記第２ＵＥがユーザ固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び前記ダウンリンク制御シグナリングの中の前記第２ＵＥの前記スケジューリング指示情報は、具体的には、前記第２ＵＥの以下の情報：無線ネットワーク一時識別子、送信モード、変調及び符号化方式、アンテナポート情報、トランスポート層の量、前記第１ＵＥのデータのリソースエレメント当たりのエネルギＥＰＲＥの前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する、請求項２６に記載のＵＥ。
【請求項３１】
前記ダウンリンク制御シグナリングの中の前記第２ＵＥの前記スケジューリング指示情報は、具体的には、前記第２ＵＥの新規データ指示子情報及び／又は反復バージョン情報を更に有する、請求項２７乃至３０のいずれか一項に記載のＵＥ。
【請求項３２】
前記第２ＵＥも前記新送信モードの前記構成情報及び前記ダウンリンク制御シグナリングを受信する場合、前記ダウンリンク制御シグナリングの中の前記第１ＵＥの前記スケジューリング指示情報は、具体的には、前記第１ＵＥの以下の情報：リソース位置指示、変調及び符号化方式、パイロットのリソースエレメント当たりのエネルギＥＰＲＥの前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、前記ダウンリンク制御シグナリングの中の前記第２ＵＥの前記スケジューリング指示情報は、具体的には、前記第２ＵＥの以下の情報：リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する、請求項２６に記載のＵＥ。
【請求項３３】
非直交多元接続送信方法であって、前記方法は、基地局に適用され、
第１ユーザ機器ＵＥに対して新送信モードを構成し、前記構成された新送信モードを前記第１ＵＥに通知するステップであって、前記新送信モードは、前記第１ＵＥと同一セル内に位置する第２ＵＥの送信信号が前記第１ＵＥに割り当てられた時間周波数リソースに重畳され及び第２ＵＥが前記第１ＵＥの干渉ＵＥであることを示す、ステップと、
前記第１ＵＥへ第１ダウンリンク制御シグナリングを送信するステップであって、前記第１ＵＥが、前記第１ダウンリンク制御シグナリングに従い、前記基地局により送信された受信データを復調できるようにし、前記第１ダウンリンク制御シグナリングは、前記第１ＵＥのスケジューリング指示情報と前記第２ＵＥのスケジューリング指示情報とを有する、ステップと、
を含む方法。
【請求項３４】
前記第１ＵＥに対して前記新送信モードが構成され、前記第１ＵＥがユーザ固有参照信号を用いることによりデータを復調し、前記第２ＵＥが前記ユーザ固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの前記第１ＵＥのデータのＥＰＲＥに対する比、トランスポート層の量、又はアンテナポート情報、のうち１又は複数の種類を有し、及び前記第１ダウンリンク制御シグナリングの中の前記第２ＵＥの前記スケジューリング指示情報は、具体的には、前記第２ＵＥの以下の情報：無線ネットワーク一時識別子、変調及び符号化方式、アンテナポート情報、前記パイロットの前記ＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する、請求項３３に記載の方法。
【請求項３５】
前記第１ＵＥに対して前記新送信モードが構成され、前記第１ＵＥがユーザ固有参照信号を用いることによりデータを復調し、前記第２ＵＥがセル固有参照信号を用いることによりデータを復調し、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、
前記第１ダウンリンク制御シグナリングの中の前記第２ＵＥの前記スケジューリング指示情報は、具体的には、前記第２ＵＥの以下の情報：無線ネットワーク一時識別子、変調及び符号化方式、パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、前記第２ＵＥがロングタームエボリューションＬＴＥにおける送信モード３を用いるとき、前記第１ダウンリンク制御シグナリングは、前記第２ＵＥのトランスポート層の量を更に有し、前記第２ＵＥが前記ＬＴＥにおける送信モード４を用いるとき、前記第１ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記第１ダウンリンク制御シグナリングは、前記第２ＵＥのプリコーディング情報を更に有する、
請求項３３に記載の方法。
【請求項３６】
前記方法は、前記第２ＵＥへ第２ダウンリンク制御シグナリングを送信するステップであって、前記第２ダウンリンク制御シグナリングは、前記第１ＵＥの復調参照信号ポート情報及び前記第２ＵＥのスケジューリング指示情報を有し、前記第２ダウンリンク制御シグナリングの中の前記第２ＵＥの前記スケジューリング指示情報は、具体的には、前記第２ＵＥの以下の情報：リソース位置指示、変調及び符号化方式、ハイブリッド自動再送要求プロセスの量、新規データ指示子情報、又は反復バージョン情報、のうちの１又は複数の種類を有する、ステップ、
を更に含む請求項３４又は３５に記載の方法。
【請求項３７】
前記第１ＵＥに対して前記新送信モードが構成され、前記第１ＵＥがセル固有参照信号を用いることによりデータを復調し、前記第２ＵＥが前記セル固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、
前記第１ダウンリンク制御シグナリングの中の前記第２ＵＥの前記スケジューリング指示情報は、具体的には、前記第２ＵＥの以下の情報：パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、前記第２ＵＥがロングタームエボリューションＬＴＥにおける送信モード３を用いるとき、前記第１ダウンリンク制御シグナリングは、前記第２ＵＥのトランスポート層の量を更に有し、前記第２ＵＥが前記ＬＴＥにおける送信モード４を用いるとき、前記第１ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記第１ダウンリンク制御シグナリングは、前記第２ＵＥのプリコーディング情報を更に有する、
請求項３３に記載の方法。
【請求項３８】
前記第１ＵＥに対して前記新送信モードが構成され、前記第１ＵＥがセル固有参照信号を用いることによりデータを復調し、前記第２ＵＥがユーザ固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び前記第１ダウンリンク制御シグナリングの中の前記第２ＵＥの前記スケジューリング指示情報は、具体的には、前記第２ＵＥの以下の情報：無線ネットワーク一時識別子、送信モード、変調及び符号化方式、アンテナポート情報、トランスポート層の量、前記第１ＵＥのデータのリソースエレメント当たりのエネルギＥＰＲＥの前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する、請求項３３に記載の方法。
【請求項３９】
前記第１ダウンリンク制御シグナリングの中の前記第２ＵＥの前記スケジューリング指示情報は、具体的には、前記第２ＵＥの新規データ指示子情報及び／又は反復バージョン情報を更に有する、請求項３４乃至３８のいずれか一項に記載の方法。
【請求項４０】
非直交多元接続送信方法であって、前記方法は、基地局に適用され、
第１ユーザ機器ＵＥ及び第２ＵＥに対して新送信モードを構成し、前記第１ＵＥ及び前記第２ＵＥに前記構成した新送信モードを通知するステップであって、前記新送信モードは、前記第１ＵＥの送信信号及び前記第２ＵＥの送信信号が同じ時間周波数リソースに多重化され、前記第１ＵＥ及び前記第２ＵＥは同一セル内に位置し、前記第１ＵＥ及び前記第２ＵＥは互いの干渉ＵＥである、ことを示す、ステップと、
前記第１ＵＥ及び前記第２ＵＥへ同じダウンリンク制御シグナリングを送信して、前記第１ＵＥ及び前記第２ＵＥが前記ダウンリンク制御シグナリングに従い、前記基地局により送信された受信データを復調できるようにするステップであって、前記ダウンリンク制御シグナリングは、前記第１ＵＥのスケジューリング指示情報及び前記第２ＵＥのスケジューリング指示情報を有する、ステップと、
を含む方法。
【請求項４１】
前記第１ＵＥの前記スケジューリング指示情報は、具体的には、前記第１ＵＥの以下の情報：リソース位置指示、変調及び符号化方式、パイロットのリソースエレメント当たりのエネルギＥＰＲＥの前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、前記第２ＵＥの前記スケジューリング指示情報は、前記第２ＵＥの以下の情報：リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する、請求項４０に記載の方法。
【請求項４２】
非直交多元接続送信方法であって、前記方法は、ユーザ機器ＵＥに適用され、前記ＵＥは第１ＵＥであり、前記方法は、
新送信モードのものであり且つ基地局により送信される構成情報を受信するステップであって、前記新送信モードは、前記基地局が、前記基地局により前記第１ＵＥに割り当てられた時間周波数リソースに、前記第１ＵＥと同一セル内に位置する第２ＵＥの送信信号を重畳し、前記第２ＵＥが前記第１ＵＥの干渉ＵＥであることを示し、
前記新送信モードで、前記基地局により送信されたダウンリンク制御シグナリングを受信するステップであって、前記ダウンリンク制御シグナリングは、前記第１ＵＥのスケジューリング指示情報及び前記第２ＵＥのスケジューリング指示情報を有する、ステップと、
前記ダウンリンク制御シグナリングに従い、前記基地局により送信された受信データを復調するステップと、
を含む方法。
【請求項４３】
前記新送信モードで、前記第１ＵＥがユーザ固有参照信号を用いることによりデータを復調し、前記第２ＵＥが前記ユーザ固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの前記第１ＵＥのデータのＥＰＲＥに対する比、トランスポート層の量、又はアンテナポート情報、のうち１又は複数の種類を有し、及び前記ダウンリンク制御シグナリングの中の前記第２ＵＥの前記スケジューリング指示情報は、具体的には、前記第２ＵＥの以下の情報：無線ネットワーク一時識別子、変調及び符号化方式、アンテナポート情報、前記パイロットの前記ＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する、請求項４２に記載の方法。
【請求項４４】
前記新送信モードで、前記第１ＵＥがユーザ固有参照信号を用いることによりデータを復調し、前記第２ＵＥがセル固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、
前記ダウンリンク制御シグナリングの中の前記第２ＵＥの前記スケジューリング指示情報は、具体的には、前記第２ＵＥの以下の情報：無線ネットワーク一時識別子、変調及び符号化方式、パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、前記第２ＵＥがロングタームエボリューションＬＴＥにおける送信モード３を用いるとき、前記ダウンリンク制御シグナリングは、前記第２ＵＥのトランスポート層の量を更に有し、前記第２ＵＥが前記ＬＴＥにおける送信モード４を用いるとき、前記ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記ダウンリンク制御シグナリングは、前記第２ＵＥのプリコーディング情報を更に有する、
請求項４２に記載の方法。
【請求項４５】
前記新送信モードで、前記第１ＵＥがセル固有参照信号を用いることによりデータを復調し、前記第２ＵＥが前記セル固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、
前記ダウンリンク制御シグナリングの中の前記第２ＵＥの前記スケジューリング指示情報は、具体的には、前記第２ＵＥの以下の情報：パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、前記第２ＵＥがロングタームエボリューションＬＴＥにおける送信モード３を用いるとき、前記ダウンリンク制御シグナリングは、前記第２ＵＥのトランスポート層の量を更に有し、前記第２ＵＥが前記ＬＴＥにおける送信モード４を用いるとき、前記ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記ダウンリンク制御シグナリングは、前記第２ＵＥのプリコーディング情報を更に有する、
請求項４２に記載の方法。
【請求項４６】
前記新送信モードで、前記第１ＵＥがセル固有参照信号を用いることによりデータを復調し、前記第２ＵＥがユーザ固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び前記ダウンリンク制御シグナリングの中の前記第２ＵＥの前記スケジューリング指示情報は、具体的には、前記第２ＵＥの以下の情報：無線ネットワーク一時識別子、送信モード、変調及び符号化方式、アンテナポート情報、トランスポート層の量、前記第１ＵＥのデータのリソースエレメント当たりのエネルギＥＰＲＥの前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する、請求項４２に記載の方法。
【請求項４７】
前記ダウンリンク制御シグナリングの中の前記第２ＵＥの前記スケジューリング指示情報は、具体的には、前記第２ＵＥの新規データ指示子情報及び／又は反復バージョン情報を更に有する、請求項４３乃至４６のいずれか一項に記載の方法。
【請求項４８】
前記第２ＵＥも前記新送信モードの前記構成情報及び前記ダウンリンク制御シグナリングを受信する場合、前記ダウンリンク制御シグナリングの中の前記第１ＵＥの前記スケジューリング指示情報は、具体的には、前記第１ＵＥの以下の情報：リソース位置指示、変調及び符号化方式、パイロットのリソースエレメント当たりのエネルギＥＰＲＥの前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、前記ダウンリンク制御シグナリングの中の前記第２ＵＥの前記スケジューリング指示情報は、具体的には、前記第２ＵＥの以下の情報：リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する、請求項４２に記載の方法。
【発明の詳細な説明】
【技術分野】
【０００１】
本発明の実施形態は、情報通信技術の分野に関し、特に非直交多元接続送信方法、基地局、及びＵＥに関する。
【背景技術】
【０００２】
非直交多元接続（non−orthogonal  multiple  access、ＮＯＭＡ）送信技術では、１つのリソースが複数のユーザに割り当てられて良く、異なる電力が異なるユーザに割り当てられ、多元接続送信を実現し、したがってリソース利用を向上する。例えば、基地局は、２人のユーザの送信データを同じ時間周波数リソースに重畳し、一方のユーザはセル端に位置し、他方のユーザはセル中心に位置する。電力割り当ての観点では、より多くの電力がセル端に位置するユーザのデータ送信のために割り当てられ、比較的低い電力がセル中心に位置するユーザのデータ送信のために割り当てられる。受信端において、ユーザは、２人のユーザのデータを重畳することにより得られる結果を受信する。セル端に位置するユーザにとって、セル中心に位置するユーザのデータは、重畳後に生成される干渉と等価である。しかしながら、セル端に位置するユーザのデータ送信のために比較的高い電力が割り当てられるので、適正なビットレート及び変調方式構成により、セル端に位置するユーザがセル端に位置するユーザのデータの復調に成功することが保証できる。混合信号を受信した後に、セル中心に位置するユーザは、先ず、セル端に位置するユーザのデータ（つまり、干渉信号）を検出し、次に、干渉除去アルゴリズムを用いることにより干渉信号を除去して、セル中心に位置するユーザのデータが残るようにする。比較的低い電力にも拘わらず、セル中心に位置するユーザは、基地局まで短距離であるために比較的良好なチャネル状態を有し、適正なビットレート及び変調方式構成により、セル中心に位置するユーザのデータの復調に成功することもできる。
【０００３】
ＮＯＭＡでは、複数の多重化ユーザは、異なる電力を用いることにより区別され、プリコーディングによる相互直交性又は低い相関の実装を要求されない。しかしながら、ロングタームエボリューション（Long  Term  Evolution、ＬＴＥ）システムでは、例えば、ＬＴＥの送信モード９で、複数のユーザは、異なる電力を用いることによる代わりに、直交プリコーディングを用いて区別される。業界のＮＯＭＡ技術に関する既存の研究は、送信ソリューションの向上及び最適化、ＮＯＭＡ技術を多入力多出力（Multiple−Input  Multiple−Output、ＭＩＭＯ）とどのように結合するか、等に主に焦点を当てている。ＮＯＭＡ送信モードをＬＴＥシステムにどのように導入するかについては、未だ関連するソリューションが存在しない。
【発明の概要】
【０００４】
この観点から、本発明は、非直交多元接続送信方法、基地局、及びＵＥを提供し、ＮＯＭＡ送信方法がＬＴＥシステムに導入でき、及びスペクトル利用が向上できるようにする。
【０００５】
第１の態様によると、本発明の一実施形態において提供される基地局は、第１構成ユニットであって、第１ユーザ機器ＵＥに対して新送信モードを構成し、前記構成された新送信モードを前記第１ＵＥに通知するよう構成され、前記新送信モードは、前記第１ＵＥと同一セル内に位置する第２ＵＥの送信信号が前記第１ＵＥに割り当てられた時間周波数リソースに重畳され及び第２ＵＥが前記第１ＵＥの干渉ＵＥであることを示す、第１構成ユニットと、第１送信ユニットであって、前記第１ＵＥへ第１ダウンリンク制御シグナリングを送信するよう構成され、前記第１ＵＥが、前記第１ダウンリンク制御シグナリングに従い、前記基地局により送信された受信データを復調できるようにし、前記第１ダウンリンク制御シグナリングは、前記第１ＵＥのスケジューリング指示情報と前記第２ＵＥのスケジューリング指示情報とを有する、第１送信ユニットと、を含む。
【０００６】
第１の態様を参照して、第１の態様の第１の実装方法では、前記構成ユニットが前記第１ＵＥに対して前記新送信モードを構成し、前記第１ＵＥがユーザ固有参照信号を用いることによりデータを復調し、前記第２ＵＥも前記ユーザ固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの前記第１ＵＥのデータのＥＰＲＥに対する比、トランスポート層の量、又はアンテナポート情報、のうち１又は複数の種類を有し、及び前記第１ダウンリンク制御シグナリングの中の前記第２ＵＥの前記スケジューリング指示情報は、具体的には、前記第２ＵＥの以下の情報：無線ネットワーク一時識別子、変調及び符号化方式、アンテナポート情報、前記パイロットの前記ＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する。
【０００７】
第１の態様を参照して、第１の態様の第２の実装方法では、前記第１構成ユニットが前記第１ＵＥに対して前記新送信モードを構成し、前記第１ＵＥがユーザ固有参照信号を用いることによりデータを復調し、前記第２ＵＥがセル固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、前記第１ダウンリンク制御シグナリングの中の前記第２ＵＥの前記スケジューリング指示情報は、具体的には、前記第２ＵＥの以下の情報：無線ネットワーク一時識別子、変調及び符号化方式、パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、前記第２ＵＥがロングタームエボリューションＬＴＥにおける送信モード３を用いるとき、前記第１ダウンリンク制御シグナリングは、前記第２ＵＥのトランスポート層の量を更に有し、前記第２ＵＥが前記ＬＴＥにおける送信モード４を用いるとき、前記第１ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記第１ダウンリンク制御シグナリングは、前記第２ＵＥのプリコーディング情報を更に有する。
【０００８】
第１の態様の第１又は第２の実装方法を参照して、第１の態様の第３の実装方法では、前記第１送信ユニットは、第２ダウンリンク制御シグナリングを前記第２ＵＥへ送信するよう更に構成され、前記第２ダウンリンク制御シグナリングは、前記第１ＵＥの復調参照信号ポート情報と前記第２ＵＥのスケジューリング指示情報とを有し、前記第２ダウンリンク制御シグナリングの中の前記第２ＵＥの前記スケジューリング指示情報は、具体的には、前記第２ＵＥの以下の情報：リソース位置指示、変調及び符号化方式、ハイブリッド自動再送要求プロセスの量、新規データ指示子情報、又は反復バージョン情報、のうちの１又は複数の種類を含む。
【０００９】
第１の態様を参照して、第１の態様の第４の実装方法では、前記第１構成ユニットが前記第１ＵＥに対して前記新送信モードを構成し、前記第１ＵＥがセル固有参照信号を用いることによりデータを復調し、前記第２ＵＥも前記セル固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、前記第１ダウンリンク制御シグナリングの中の前記第２ＵＥの前記スケジューリング指示情報は、具体的には、前記第２ＵＥの以下の情報：パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、前記第２ＵＥがロングタームエボリューションＬＴＥにおける送信モード３を用いるとき、前記第１ダウンリンク制御シグナリングは、前記第２ＵＥのトランスポート層の量を更に有し、前記第２ＵＥが前記ＬＴＥにおける送信モード４を用いるとき、前記第１ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記第１ダウンリンク制御シグナリングは、前記第２ＵＥのプリコーディング情報を更に有する。
【００１０】
第１の態様を参照して、第１の態様の第５の実装方法では、前記第１構成ユニットが前記第１ＵＥに対して前記新送信モードを構成し、前記第１ＵＥがセル固有参照信号を用いることによりデータを復調し、前記第２ＵＥがユーザ固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び前記第１ダウンリンク制御シグナリングの中の前記第２ＵＥの前記スケジューリング指示情報は、具体的には、前記第２ＵＥの以下の情報：無線ネットワーク一時識別子、送信モード、変調及び符号化方式、アンテナポート情報、トランスポート層の量、前記第１ＵＥのデータのリソースエレメント当たりのエネルギＥＰＲＥの前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する。
【００１１】
第１の態様の第１、第２、第３、第４、又は第５の実装方法を参照して、第１の態様の第６の実装方法では、前記第１ダウンリンク制御シグナリングの中の前記第２ＵＥの前記スケジューリング指示情報は、具体的には、前記第２ＵＥの新規データ指示子情報及び／又は反復バージョン情報を更に含む。
【００１２】
第２の態様によると、本発明の一実施形態において提供される基地局は、第２構成ユニットであって、第１ユーザ機器ＵＥ及び第２ＵＥに対して新送信モードを構成し、前記第１ＵＥ及び前記第２ＵＥに前記構成した新送信モードを通知するよう構成され、前記新送信モードは、前記第１ＵＥの送信信号及び前記第２ＵＥの送信信号が、同じ時間周波数リソースに多重化され、前記第１ＵＥ及び前記第２ＵＥは同一セル内に位置し、前記第１ＵＥ及び前記第２ＵＥは互いの干渉ＵＥであることを示す、第２構成ユニットと、第２送信ユニットであって、前記第１ＵＥ及び前記第２ＵＥへ同じダウンリンク制御シグナリングを送信して、前記第１ＵＥ及び前記第２ＵＥが前記ダウンリンク制御シグナリングに従い、前記基地局により送信された受信データを復調できるようにするよう構成され、前記ダウンリンク制御シグナリングは、前記第１ＵＥのスケジューリング指示情報及び前記第２ＵＥのスケジューリング指示情報を有する、第２送信ユニットと、を含む。
【００１３】
第２の態様を参照して、第２の態様の第１の実装方法では、前記第１ＵＥの前記スケジューリング指示情報は、具体的には、前記第１ＵＥの以下の情報：リソース位置指示、変調及び符号化方式、パイロットのリソースエレメント当たりのエネルギＥＰＲＥの前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、前記第２ＵＥの前記スケジューリング指示情報は、前記第２ＵＥの以下の情報：リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する。
【００１４】
第３の態様によると、本発明は、ユーザ機器ＵＥであって、前記ＵＥは、第１ＵＥであり、受信ユニットであって、新送信モードのものであり且つ基地局により送信される構成情報を受信するよう構成され、前記新送信モードは、前記基地局が、前記基地局により前記第１ＵＥに割り当てられた時間周波数リソースに、前記第１ＵＥと同一セル内に位置する第２ＵＥの送信信号を重畳し、前記第２ＵＥが前記第１ＵＥの干渉ＵＥであることを示し、前記受信ユニットは、前記新送信モードで、前記基地局により送信されたダウンリンク制御シグナリングを受信するよう更に構成され、前記ダウンリンク制御シグナリングは、前記第１ＵＥのスケジューリング指示情報及び前記第２ＵＥのスケジューリング指示情報を有する、受信ユニットと、復調ユニットであって、前記ダウンリンク制御シグナリングに従い、前記基地局により送信された受信データを復調するよう構成される、復調ユニットと、を含む。
【００１５】
第３の態様を参照して、第３の態様の第１の実装方法では、前記新送信モードで、前記第１ＵＥがユーザ固有参照信号を用いることによりデータを復調し、前記第２ＵＥもユーザ固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの前記第１ＵＥのデータのＥＰＲＥに対する比、トランスポート層の量、又はアンテナポート情報、のうち１又は複数の種類を有し、及び前記ダウンリンク制御シグナリングの中の前記第２ＵＥの前記スケジューリング指示情報は、具体的には、前記第２ＵＥの以下の情報：無線ネットワーク一時識別子、変調及び符号化方式、アンテナポート情報、パイロットのＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する。
【００１６】
第３の態様を参照して、第３の態様の第２の実装方法では、前記新送信モードで、前記第１ＵＥがユーザ固有参照信号を用いることによりデータを復調し、前記第２ＵＥがセル固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、前記ダウンリンク制御シグナリングの中の前記第２ＵＥの前記スケジューリング指示情報は、具体的には、前記第２ＵＥの以下の情報：無線ネットワーク一時識別子、変調及び符号化方式、パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、前記第２ＵＥがロングタームエボリューションＬＴＥにおける送信モード３を用いるとき、前記ダウンリンク制御シグナリングは、前記第２ＵＥのトランスポート層の量を更に有し、前記第２ＵＥが前記ＬＴＥにおける送信モード４を用いるとき、前記ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記ダウンリンク制御シグナリングは、前記第２ＵＥのプリコーディング情報を更に有する。
【００１７】
第３の態様を参照して、第３の態様の第３の実装方法では、前記新送信モードで、前記第１ＵＥがセル固有参照信号を用いることによりデータを復調し、前記第２ＵＥも前記セル固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、前記ダウンリンク制御シグナリングの中の前記第２ＵＥの前記スケジューリング指示情報は、具体的には、前記第２ＵＥの以下の情報：パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、前記第２ＵＥがロングタームエボリューションＬＴＥにおける送信モード３を用いるとき、前記ダウンリンク制御シグナリングは、前記第２ＵＥのトランスポート層の量を更に有し、前記第２ＵＥが前記ＬＴＥにおける送信モード４を用いるとき、前記ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記ダウンリンク制御シグナリングは、前記第２ＵＥのプリコーディング情報を更に有する。
【００１８】
第３の態様を参照して、第３の態様の第４の実装方法では、新送信モードで、前記第１ＵＥがセル固有参照信号を用いることによりデータを復調し、前記第２ＵＥがユーザ固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び前記ダウンリンク制御シグナリングの中の前記第２ＵＥの前記スケジューリング指示情報は、具体的には、前記第２ＵＥの以下の情報：無線ネットワーク一時識別子、送信モード、変調及び符号化方式、アンテナポート情報、トランスポート層の量、前記第１ＵＥのデータのリソースエレメント当たりのエネルギＥＰＲＥの前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する。
【００１９】
第３の態様の第１、第２、第３、又は第４の実装方法を参照して、第３の態様の第５の実装方法では、前記ダウンリンク制御シグナリングの中の前記第２ＵＥの前記スケジューリング指示情報は、具体的には、前記第２ＵＥの新規データ指示子情報及び／又は反復バージョン情報を更に含む。
【００２０】
第３の態様を参照して、第３の態様の第６の実装方法では、前記第２ＵＥも前記新送信モードの前記構成情報及び前記ダウンリンク制御シグナリングを受信する場合、前記ダウンリンク制御シグナリングの中の前記第１ＵＥの前記スケジューリング指示情報は、具体的には、前記第１ＵＥの以下の情報：リソース位置指示、変調及び符号化方式、パイロットのリソースエレメント当たりのエネルギＥＰＲＥの前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、前記ダウンリンク制御シグナリングの中の前記第２ＵＥの前記スケジューリング指示情報は、具体的には、前記第２ＵＥの以下の情報：リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する。
【００２１】
第４の態様によると、本発明の一実施形態において提供される基地局は、第１プロセッサ及び第１送信機を含み、前記第１プロセッサは、第１ユーザ機器ＵＥに対して新送信モードを構成し、前記構成された新送信モードを前記第１ＵＥに通知するよう構成され、前記新送信モードは、前記第１ＵＥと同一セル内に位置する第２ＵＥの送信信号が前記第１ＵＥに割り当てられた時間周波数リソースに重畳され及び第２ＵＥが前記第１ＵＥの干渉ＵＥであることを示し、前記第１プロセッサは、前記第１ＵＥへ第１ダウンリンク制御シグナリングを送信するよう前記第１送信機を制御して、前記第１ＵＥが、前記第１ダウンリンク制御シグナリングに従い、前記基地局により送信された受信データを復調できるようにするよう更に構成され、前記第１ダウンリンク制御シグナリングは、前記第１ＵＥのスケジューリング指示情報と前記第２ＵＥのスケジューリング指示情報とを有する。
【００２２】
第４の態様を参照して、第４の態様の第１の実装方法では、前記第１プロセッサが前記第１ＵＥに対して前記新送信モードを構成し、前記第１ＵＥがユーザ固有参照信号を用いることによりデータを復調し、前記第２ＵＥも前記ユーザ固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの前記第１ＵＥのデータのＥＰＲＥに対する比、トランスポート層の量、又はアンテナポート情報、のうち１又は複数の種類を有し、及び前記第１ダウンリンク制御シグナリングの中の前記第２ＵＥの前記スケジューリング指示情報は、具体的には、前記第２ＵＥの以下の情報：無線ネットワーク一時識別子、変調及び符号化方式、アンテナポート情報、前記パイロットの前記ＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する。
【００２３】
第４の態様を参照して、第４の態様の第２の実装方法では、前記第１プロセッサが前記第１ＵＥに対して前記新送信モードを構成し、前記第１ＵＥがユーザ固有参照信号を用いることによりデータを復調し、前記第２ＵＥがセル固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、前記第１ダウンリンク制御シグナリングの中の前記第２ＵＥの前記スケジューリング指示情報は、具体的には、前記第２ＵＥの以下の情報：無線ネットワーク一時識別子、変調及び符号化方式、パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、前記第２ＵＥがロングタームエボリューションＬＴＥにおける送信モード３を用いるとき、前記第１ダウンリンク制御シグナリングは、前記第２ＵＥのトランスポート層の量を更に有し、前記第２ＵＥが前記ＬＴＥにおける送信モード４を用いるとき、前記第１ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記第１ダウンリンク制御シグナリングは、前記第２ＵＥのプリコーディング情報を更に有する。
【００２４】
第４の態様の第１又は第２の実装方法を参照して、第４の態様の第３の実装方法では、前記第１プロセッサは、第２ダウンリンク制御シグナリングを前記第２ＵＥへ送信するよう前記第１送信機を制御するよう更に構成され、前記第２ダウンリンク制御シグナリングは、前記第１ＵＥの復調参照信号ポート情報と前記第２ＵＥのスケジューリング指示情報とを有し、前記第２ダウンリンク制御シグナリングの中の前記第２ＵＥの前記スケジューリング指示情報は、具体的には、前記第２ＵＥの以下の情報：リソース位置指示、変調及び符号化方式、ハイブリッド自動再送要求プロセスの量、新規データ指示子情報、又は反復バージョン情報、のうちの１又は複数の種類を含む。
【００２５】
第４の態様を参照して、第４の態様の第４の実装方法では、前記第１プロセッサが前記第１ＵＥに対して前記新送信モードを構成し、前記第１ＵＥがセル固有参照信号を用いることによりデータを復調し、前記第２ＵＥも前記セル固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、前記第１ダウンリンク制御シグナリングの中の前記第２ＵＥの前記スケジューリング指示情報は、具体的には、前記第２ＵＥの以下の情報：パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、前記第２ＵＥがロングタームエボリューションＬＴＥにおける送信モード３を用いるとき、前記第１ダウンリンク制御シグナリングは、前記第２ＵＥのトランスポート層の量を更に有し、前記第２ＵＥが前記ＬＴＥにおける送信モード４を用いるとき、前記第１ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記第１ダウンリンク制御シグナリングは、前記第２ＵＥのプリコーディング情報を更に有する。
【００２６】
第４の態様を参照して、第４の態様の第５の実装方法では、前記第１プロセッサが前記第１ＵＥに対して前記新送信モードを構成し、前記第１ＵＥがセル固有参照信号を用いることによりデータを復調し、前記第２ＵＥがユーザ固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び前記第１ダウンリンク制御シグナリングの中の前記第２ＵＥの前記スケジューリング指示情報は、具体的には、前記第２ＵＥの以下の情報：無線ネットワーク一時識別子、送信モード、変調及び符号化方式、アンテナポート情報、トランスポート層の量、前記第１ＵＥのデータのリソースエレメント当たりのエネルギＥＰＲＥの前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する。
【００２７】
第４の態様の第１、第２、第３、第４、又は第５の実装方法を参照して、第４の態様の第６の実装方法では、前記第１ダウンリンク制御シグナリングの中の前記第２ＵＥの前記スケジューリング指示情報は、具体的には、前記第２ＵＥの新規データ指示子情報及び／又は反復バージョン情報を更に含む。
【００２８】
第５の態様によると、本発明の一実施形態において提供される基地局は、第２プロセッサ及び第２送信機を有し、前記第２プロセッサは、第１ユーザ機器ＵＥ及び第２ＵＥに対して新送信モードを構成し、前記第１ＵＥ及び前記第２ＵＥに前記構成した新送信モードを通知するよう構成され、前記新送信モードは、前記第１ＵＥの送信信号及び前記第２ＵＥの送信信号が同じ時間周波数リソースに多重化され、前記第１ＵＥ及び前記第２ＵＥは同一セル内に位置し、前記第１ＵＥ及び前記第２ＵＥは互いの干渉ＵＥである、ことを示す、よう構成され、前記第２プロセッサは、前記第１ＵＥ及び前記第２ＵＥへ同じダウンリンク制御シグナリングを送信するよう前記第２送信機を制御して、前記第１ＵＥ及び前記第２ＵＥが前記ダウンリンク制御シグナリングに従い、前記基地局により送信された受信データを復調できるようにするよう更に構成され、前記ダウンリンク制御シグナリングは、前記第１ＵＥのスケジューリング指示情報及び前記第２ＵＥのスケジューリング指示情報を有する。
【００２９】
第５の態様を参照して、第５の態様の第１の実装方法では、前記第１ＵＥの前記スケジューリング指示情報は、具体的には、前記第１ＵＥの以下の情報：リソース位置指示、変調及び符号化方式、パイロットのリソースエレメント当たりのエネルギＥＰＲＥの前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、前記第２ＵＥの前記スケジューリング指示情報は、前記第２ＵＥの以下の情報：リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する。
【００３０】
第６の態様によると、本発明の一実施形態は、ユーザ機器ＵＥであって、前記ＵＥは第１ＵＥであり、前記第１ＵＥは第３プロセッサ及び受信機を含み、前記第３プロセッサは、新送信モードの構成情報を受信するよう前記受信機を制御するよう構成され、前記新送信モードは、前記基地局が、前記基地局により前記第１ＵＥに割り当てられた時間周波数リソースに、前記第１ＵＥと同一セル内に位置する第２ＵＥの送信信号を重畳し、前記第２ＵＥが前記第１ＵＥの干渉ＵＥであることを示し、前記第３プロセッサは、前記新送信モードで、前記基地局により送信されたダウンリンク制御シグナリングを受信するよう前記受信機を制御するよう更に構成され、前記ダウンリンク制御シグナリングは、前記第１ＵＥのスケジューリング指示情報及び前記第２ＵＥのスケジューリング指示情報を有し、前記第３プロセッサは、前記ダウンリンク制御シグナリングに従い、前記基地局により送信された受信データを復調するよう更に構成される、ＵＥを提供する。
【００３１】
第６の態様を参照して、第６の態様の第１の実装方法では、前記新送信モードで、前記第１ＵＥがユーザ固有参照信号を用いることによりデータを復調し、前記第２ＵＥもユーザ固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの前記第１ＵＥのデータのＥＰＲＥに対する比、トランスポート層の量、又はアンテナポート情報、のうち１又は複数の種類を有し、及び前記ダウンリンク制御シグナリングの中の前記第２ＵＥの前記スケジューリング指示情報は、具体的には、前記第２ＵＥの以下の情報：無線ネットワーク一時識別子、変調及び符号化方式、アンテナポート情報、パイロットのＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する。
【００３２】
第６の態様を参照して、第６の態様の第２の実装方法では、前記新送信モードで、前記第１ＵＥがユーザ固有参照信号を用いることによりデータを復調し、前記第２ＵＥがセル固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、前記ダウンリンク制御シグナリングの中の前記第２ＵＥの前記スケジューリング指示情報は、具体的には、前記第２ＵＥの以下の情報：無線ネットワーク一時識別子、変調及び符号化方式、パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、前記第２ＵＥがロングタームエボリューションＬＴＥにおける送信モード３を用いるとき、前記ダウンリンク制御シグナリングは、前記第２ＵＥのトランスポート層の量を更に有し、前記第２ＵＥが前記ＬＴＥにおける送信モード４を用いるとき、前記ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記ダウンリンク制御シグナリングは、前記第２ＵＥのプリコーディング情報を更に有する。
【００３３】
第６の態様を参照して、第６の態様の第３の実装方法では、前記新送信モードで、前記第１ＵＥがセル固有参照信号を用いることによりデータを復調し、前記第２ＵＥも前記セル固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、前記ダウンリンク制御シグナリングの中の前記第２ＵＥの前記スケジューリング指示情報は、具体的には、前記第２ＵＥの以下の情報：パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、前記第２ＵＥがロングタームエボリューションＬＴＥにおける送信モード３を用いるとき、前記ダウンリンク制御シグナリングは、前記第２ＵＥのトランスポート層の量を更に有し、前記第２ＵＥが前記ＬＴＥにおける送信モード４を用いるとき、前記ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記ダウンリンク制御シグナリングは、前記第２ＵＥのプリコーディング情報を更に有する。
【００３４】
第６の態様を参照して、第６の態様の第４の実装方法では、新送信モードで、前記第１ＵＥがセル固有参照信号を用いることによりデータを復調し、前記第２ＵＥがユーザ固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び前記ダウンリンク制御シグナリングの中の前記第２ＵＥの前記スケジューリング指示情報は、具体的には、前記第２ＵＥの以下の情報：無線ネットワーク一時識別子、送信モード、変調及び符号化方式、アンテナポート情報、トランスポート層の量、前記第１ＵＥのデータのリソースエレメント当たりのエネルギＥＰＲＥの前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する。
【００３５】
第６の態様の第１、第２、第３、又は第４の実装方法を参照して、第６の態様の第５の実装方法では、前記ダウンリンク制御シグナリングの中の前記第２ＵＥの前記スケジューリング指示情報は、具体的には、前記第２ＵＥの新規データ指示子情報及び／又は反復バージョン情報を更に含む。
【００３６】
第６の態様を参照して、第６の態様の第６の実装方法では、前記第２ＵＥも前記新送信モードの前記構成情報及び前記ダウンリンク制御シグナリングを受信する場合、前記ダウンリンク制御シグナリングの中の前記第１ＵＥの前記スケジューリング指示情報は、具体的には、前記第１ＵＥの以下の情報：リソース位置指示、変調及び符号化方式、パイロットのリソースエレメント当たりのエネルギＥＰＲＥの前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、前記ダウンリンク制御シグナリングの中の前記第２ＵＥの前記スケジューリング指示情報は、具体的には、前記第２ＵＥの以下の情報：リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する。
【００３７】
第７の態様によると、本発明の一実施形態は、非直交多元接続送信方法であって、前記方法は、基地局に適用され、第１ユーザ機器ＵＥに対して新送信モードを構成し、前記構成された新送信モードを前記第１ＵＥに通知するステップであって、前記新送信モードは、前記第１ＵＥと同一セル内に位置する第２ＵＥの送信信号が前記第１ＵＥに割り当てられた時間周波数リソースに重畳され及び第２ＵＥが前記第１ＵＥの干渉ＵＥであることを示す、ステップと、前記第１ＵＥへ第１ダウンリンク制御シグナリングを送信するステップであって、前記第１ＵＥが、前記第１ダウンリンク制御シグナリングに従い、前記基地局により送信された受信データを復調できるようにし、前記第１ダウンリンク制御シグナリングは、前記第１ＵＥのスケジューリング指示情報と前記第２ＵＥのスケジューリング指示情報とを有する、ステップと、を含む。
【００３８】
第７の態様を参照して、第７の態様の第１の実装方法では、前記第１ＵＥに対して前記新送信モードが構成され、前記第１ＵＥがユーザ固有参照信号を用いることによりデータを復調し、前記第２ＵＥも前記ユーザ固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの前記第１ＵＥのデータのＥＰＲＥに対する比、トランスポート層の量、又はアンテナポート情報、のうち１又は複数の種類を有し、及び前記第１ダウンリンク制御シグナリングの中の前記第２ＵＥの前記スケジューリング指示情報は、具体的には、前記第２ＵＥの以下の情報：無線ネットワーク一時識別子、変調及び符号化方式、アンテナポート情報、前記パイロットの前記ＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する。
【００３９】
第７の態様を参照して、第７の態様の第２の実装方法では、前記第１ＵＥに対して前記新送信モードが構成され、前記第１ＵＥがユーザ固有参照信号を用いることによりデータを復調し、前記第２ＵＥがセル固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、前記第１ダウンリンク制御シグナリングの中の前記第２ＵＥの前記スケジューリング指示情報は、具体的には、前記第２ＵＥの以下の情報：無線ネットワーク一時識別子、変調及び符号化方式、パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、前記第２ＵＥがロングタームエボリューションＬＴＥにおける送信モード３を用いるとき、前記第１ダウンリンク制御シグナリングは、前記第２ＵＥのトランスポート層の量を更に有し、前記第２ＵＥが前記ＬＴＥにおける送信モード４を用いるとき、前記第１ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記第１ダウンリンク制御シグナリングは、前記第２ＵＥのプリコーディング情報を更に有する。
【００４０】
第７の態様の第１又は第２の実装方法を参照して、第７の態様の第３の実装方法では、前記方法は、第２ダウンリンク制御シグナリングを前記第２ＵＥへ送信するステップであって、前記第２ダウンリンク制御シグナリングは、前記第１ＵＥの復調参照信号ポート情報と前記第２ＵＥのスケジューリング指示情報とを有し、前記第２ダウンリンク制御シグナリングの中の前記第２ＵＥの前記スケジューリング指示情報は、具体的には、前記第２ＵＥの以下の情報：リソース位置指示、変調及び符号化方式、ハイブリッド自動再送要求プロセスの量、新規データ指示子情報、又は反復バージョン情報、のうちの１又は複数の種類を含む。
【００４１】
第７の態様を参照して、第７の態様の第４の実装方法では、前記第１ＵＥに対して前記新送信モードが構成され、前記第１ＵＥがセル固有参照信号を用いることによりデータを復調し、前記第２ＵＥも前記セル固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、前記第１ダウンリンク制御シグナリングの中の前記第２ＵＥの前記スケジューリング指示情報は、具体的には、前記第２ＵＥの以下の情報：パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、前記第２ＵＥがロングタームエボリューションＬＴＥにおける送信モード３を用いるとき、前記第１ダウンリンク制御シグナリングは、前記第２ＵＥのトランスポート層の量を更に有し、前記第２ＵＥが前記ＬＴＥにおける送信モード４を用いるとき、前記第１ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記第１ダウンリンク制御シグナリングは、前記第２ＵＥのプリコーディング情報を更に有する。
【００４２】
第７の態様を参照して、第７の態様の第５の実装方法では、前記第１ＵＥに対して前記新送信モードが構成され、前記第１ＵＥがセル固有参照信号を用いることによりデータを復調し、前記第２ＵＥがユーザ固有参照信号を用いることによりデータを復調するとき、前記第１ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び前記第１ダウンリンク制御シグナリングの中の前記第２ＵＥの前記スケジューリング指示情報は、具体的には、前記第２ＵＥの以下の情報：無線ネットワーク一時識別子、送信モード、変調及び符号化方式、アンテナポート情報、トランスポート層の量、前記第１ＵＥのデータのリソースエレメント当たりのエネルギＥＰＲＥの前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する。
【００４３】
第７の態様の第１、第２、第３、第４、又は第５の実装方法を参照して、第７の態様の第６の実装方法では、前記第１ダウンリンク制御シグナリングの中の前記第２ＵＥの前記スケジューリング指示情報は、具体的には、前記第２ＵＥの新規データ指示子情報及び／又は反復バージョン情報を更に含む。
【００４４】
第８の態様によると、本発明の一実施形態は、非直交多元接続送信方法であって、前記方法は、基地局に適用され、第１ユーザ機器ＵＥ及び第２ＵＥに対して新送信モードを構成し、前記第１ＵＥ及び前記第２ＵＥに前記構成した新送信モードを通知するステップであって、前記新送信モードは、前記第１ＵＥの送信信号及び前記第２ＵＥの送信信号が同じ時間周波数リソースに多重化され、前記第１ＵＥ及び前記第２ＵＥは同一セル内に位置し、前記第１ＵＥ及び前記第２ＵＥは互いの干渉ＵＥである、ことを示す、ステップと、前記第１ＵＥ及び前記第２ＵＥへ同じダウンリンク制御シグナリングを送信して、前記第１ＵＥ及び前記第２ＵＥが前記ダウンリンク制御シグナリングに従い、前記基地局により送信された受信データを復調できるようにするステップであって、前記ダウンリンク制御シグナリングは、前記第１ＵＥのスケジューリング指示情報及び前記第２ＵＥのスケジューリング指示情報を有する、ステップと、を含む方法を提供する。
【００４５】
第８の態様を参照して、第８の態様の第１の実装方法では、前記第１ＵＥの前記スケジューリング指示情報は、具体的には、前記第１ＵＥの以下の情報：リソース位置指示、変調及び符号化方式、パイロットのリソースエレメント当たりのエネルギＥＰＲＥの前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、前記第２ＵＥの前記スケジューリング指示情報は、前記第２ＵＥの以下の情報：リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する。
【００４６】
第９の態様によると、本発明の一実施形態は、非直交多元接続送信方法であって、前記方法は、ユーザ機器ＵＥに適用され、前記ＵＥは第１ＵＥであり、前記方法は、新送信モードのものであり且つ基地局により送信される構成情報を受信するステップであって、前記新送信モードは、前記基地局が、前記基地局により前記第１ＵＥに割り当てられた時間周波数リソースに、前記第１ＵＥと同一セル内に位置する第２ＵＥの送信信号を重畳し、前記第２ＵＥが前記第１ＵＥの干渉ＵＥであることを示し、前記新送信モードで、前記基地局により送信されたダウンリンク制御シグナリングを受信するステップであって、前記ダウンリンク制御シグナリングは、前記第１ＵＥのスケジューリング指示情報及び前記第２ＵＥのスケジューリング指示情報を有する、ステップと、前記ダウンリンク制御シグナリングに従い、前記基地局により送信された受信データを復調するステップと、を含む方法を提供する。
【００４７】
第９の態様を参照して、第９の態様の第１の実装方法では、前記新送信モードで、前記第１ＵＥがユーザ固有参照信号を用いることによりデータを復調し、前記第２ＵＥもユーザ固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの前記第１ＵＥのデータのＥＰＲＥに対する比、トランスポート層の量、又はアンテナポート情報、のうち１又は複数の種類を有し、及び前記ダウンリンク制御シグナリングの中の前記第２ＵＥの前記スケジューリング指示情報は、具体的には、前記第２ＵＥの以下の情報：無線ネットワーク一時識別子、変調及び符号化方式、アンテナポート情報、パイロットのＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する。
【００４８】
第９の態様を参照して、第９の態様の第２の実装方法では、前記新送信モードで、前記第１ＵＥがユーザ固有参照信号を用いることによりデータを復調し、前記第２ＵＥがセル固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、前記ダウンリンク制御シグナリングの中の前記第２ＵＥの前記スケジューリング指示情報は、具体的には、前記第２ＵＥの以下の情報：無線ネットワーク一時識別子、変調及び符号化方式、パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、前記第２ＵＥがロングタームエボリューションＬＴＥにおける送信モード３を用いるとき、前記ダウンリンク制御シグナリングは、前記第２ＵＥのトランスポート層の量を更に有し、前記第２ＵＥが前記ＬＴＥにおける送信モード４を用いるとき、前記ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記ダウンリンク制御シグナリングは、前記第２ＵＥのプリコーディング情報を更に有する。
【００４９】
第９の態様を参照して、第９の態様の第３の実装方法では、前記新送信モードで、前記第１ＵＥがセル固有参照信号を用いることによりデータを復調し、前記第２ＵＥも前記セル固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、前記ダウンリンク制御シグナリングの中の前記第２ＵＥの前記スケジューリング指示情報は、具体的には、前記第２ＵＥの以下の情報：パイロットを有しない直交周波数分割多重ＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、前記第２ＵＥがロングタームエボリューションＬＴＥにおける送信モード３を用いるとき、前記ダウンリンク制御シグナリングは、前記第２ＵＥのトランスポート層の量を更に有し、前記第２ＵＥが前記ＬＴＥにおける送信モード４を用いるとき、前記ダウンリンク制御シグナリングは、前記第２ＵＥのトランスポート層の量及びプリコーディング情報を更に有し、又は前記第２ＵＥが前記ＬＴＥにおける送信モード５若しくは前記ＬＴＥにおける送信モード６を用いるとき、前記ダウンリンク制御シグナリングは、前記第２ＵＥのプリコーディング情報を更に有する。
【００５０】
第９の態様を参照して、第９の態様の第４の実装方法では、新送信モードで、前記第１ＵＥがセル固有参照信号を用いることによりデータを復調し、前記第２ＵＥがユーザ固有参照信号を用いることによりデータを復調するとき、前記ダウンリンク制御シグナリングの中の前記第１ＵＥの前記スケジューリング指示情報は、具体的には、前記第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び前記ダウンリンク制御シグナリングの中の前記第２ＵＥの前記スケジューリング指示情報は、具体的には、前記第２ＵＥの以下の情報：無線ネットワーク一時識別子、送信モード、変調及び符号化方式、アンテナポート情報、トランスポート層の量、前記第１ＵＥのデータのリソースエレメント当たりのエネルギＥＰＲＥの前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する。
【００５１】
第９の態様の第１、第２、第３、又は第４の実装方法を参照して、第９の態様の第５の実装方法では、前記ダウンリンク制御シグナリングの中の前記第２ＵＥの前記スケジューリング指示情報は、具体的には、前記第２ＵＥの新規データ指示子情報及び／又は反復バージョン情報を更に含む。
【００５２】
第９の態様を参照して、第９の態様の第６の実装方法では、前記第２ＵＥも前記新送信モードの前記構成情報及び前記ダウンリンク制御シグナリングを受信する場合、前記ダウンリンク制御シグナリングの中の前記第１ＵＥの前記スケジューリング指示情報は、具体的には、前記第１ＵＥの以下の情報：リソース位置指示、変調及び符号化方式、パイロットのリソースエレメント当たりのエネルギＥＰＲＥの前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、前記ダウンリンク制御シグナリングの中の前記第２ＵＥの前記スケジューリング指示情報は、具体的には、前記第２ＵＥの以下の情報：リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する。
【００５３】
本発明の実施形態は以下の利点を有することが、前述の技術的ソリューションから分かる。
【００５４】
本発明の実施形態では、基地局は、第１ＵＥに対して新送信モードを構成し、前記構成された新送信モードを前記第１ＵＥに通知し、前記新送信モードは、前記第１ＵＥと同一セル内に位置する第２ＵＥの送信信号が前記第１ＵＥに割り当てられた時間周波数リソースに重畳され及び第２ＵＥが前記第１ＵＥの干渉ＵＥであることを示し、つまり、前記基地局は前記第１ＵＥに対してＮＯＭＡ送信モードを構成し、及び次に、前記第１ＵＥへ第１ダウンリンク制御シグナリングを送信し、前記第１ＵＥが、前記第１ダウンリンク制御シグナリングに従い、前記基地局により送信された受信データを復調できるようにし、前記第１ダウンリンク制御シグナリングは、前記第１ＵＥのスケジューリング指示情報と前記第２ＵＥのスケジューリング指示情報とを有する。本発明の本実施形態では、第１ダウンリンク制御シグナリングは、第２ＵＥのスケジューリング指示情報を含むので、第１ＵＥは、第１ダウンリンク制御シグナリングに含まれる第２ＵＥのスケジューリング指示情報に従い、第２ＵＥの干渉データを除去でき、そして第１ＵＥのデータの復調に成功する。第２ＵＥは、干渉除去を実行することなく、第２ＵＥのデータを直接復調して良い。したがって、本発明では、ＮＯＭＡ送信方法がＬＴＥシステムに導入され、スペクトル利用が向上される。
【図面の簡単な説明】
【００５５】
本発明の実施形態の技術的解決策をより明確に記載するために、実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【図１】本発明による基地局の一実施形態の概略図である。
【図２】本発明による基地局の別の実施形態の概略図である。
【図３】本発明による基地局の別の実施形態の概略図である。
【図４】本発明による基地局の別の実施形態の概略図である。
【図５】本発明によるＵＥの一実施形態の概略図である。
【図６】本発明によるＵＥの別の実施形態の概略図である。
【図７】本発明による非直交多元接続送信方法の一実施形態の概略図である。
【図８】本発明による非直交多元接続送信方法の別の実施形態の概略図である。
【図９】本発明による非直交多元接続送信方法の別の実施形態の概略図である。
【発明を実施するための形態】
【００５６】
以下に、本発明の実施形態の添付の図面を参照して、本発明の実施形態における技術的解決策を説明する。明らかに、記載される実施形態は、本発明の実施形態の一部のみであり、全ての実施形態ではない。本発明の実施形態に基づき創造的労力を有しないで当業者により得られる全ての他の実施形態は、本発明の保護範囲に包含される。
【００５７】
本発明は、非直交多元接続送信方法、基地局、及びＵＥを提供し、ＮＯＭＡ送信方法がＬＴＥシステムに導入でき、及びスペクトル利用が向上できるようにする。本発明の実施形態では、第１ＵＥは、主にセル中心に位置するＵＥを参照し、第２ＵＥは、主に第１ＵＥと同一セル内に位置し且つセル端に位置するＵＥを参照する。基地局は、各ＵＥにより報告される、参照信号受信電力（Reference  Signal  Receiving  Power、ＲＳＲＰ）、参照信号受信品質（Reference  Signal  Receiving  Quality、ＲＳＲＱ）、又は無線チャネル品質（Channel  Quality  Indicator、ＣＱＩ）のような情報に従い、どのＵＥが第１ＵＥか及びどのＵＥが第２ＵＥかを決定して良い。
【００５８】
図１を参照すると、図１は、本発明による基地局の一実施形態の概略図である。本実施形態における基地局１００は、第１構成ユニット１０１、及び第１送信ユニット１０２を含む。
【００５９】
第１構成ユニット１０１は、第１ユーザ機器（User  Equipment、ＵＥ）に対して新送信モードを構成し、第１ＵＥに構成された新送信モードを通知するよう構成され、新送信モードは、第１ＵＥと同一セルに位置する第２ＵＥの送信信号が、第１ＵＥに割り当てられた時間周波数リソースに重畳され、第２ＵＥが第１ＵＥの干渉ＵＥであることを示し、干渉ＵＥは、第２ＵＥの送信信号及び第１ＵＥの送信信号が時間ドメイン、周波数ドメイン、空間ドメイン、又はコードドメインのいずれでも直交しないことを示す。つまり、第１構成ユニット１０１は第１ＵＥに対してＮＯＭＡ送信モードを構成する。
【００６０】
第１送信ユニット１０２は、第１ダウンリンク制御シグナリングを第１ＵＥへ送信するよう構成され、第１ＵＥが、第１ダウンリンク制御シグナリングに従い、基地局により送信された受信信号を復調できるようにし、第１ダウンリンク制御シグナリングは、第１ＵＥのスケジューリング指示情報及び第２ＵＥのスケジューリング指示情報を含む。
【００６１】
新送信モードが第１ＵＥに対して構成され、第２ＵＥの送信信号が、基地局により第１ＵＥに割り当てられた時間周波数リソースに重畳され、第１ＵＥの送信信号及び第２ＵＥの送信信号が同じ時間周波数リソースに多重化されるとき、第１ＵＥにとって第２ＵＥの送信信号は干渉信号であり、第１ＵＥの送信信号を復調する前に、第１ＵＥは、先ず、第２ＵＥの送信信号を復調し及び第２ＵＥの送信信号を除去する必要がある。しかしながら、本実施形態では、第１ＵＥへ送信される第１ダウンリンク制御シグナリングは、第２ＵＥのスケジューリング指示情報を含むので、第１ＵＥは、第１ダウンリンク制御シグナリングに含まれる第２ＵＥのスケジューリング指示情報に従い、第２ＵＥの送信データを識別し及び除去でき、そして第１ＵＥのデータの復調に成功する。第２ＵＥは、干渉除去を実行することなく、第２ＵＥのデータを直接復調して良い。したがって、本発明では、ＮＯＭＡ送信方法がＬＴＥシステムに導入され、スペクトル利用が向上される。
【００６２】
第１構成ユニット１０１が第１ＵＥに対して新送信モードを構成するとき、第１構成ユニット１０１０は、第２ＵＥに対しても新送信モードを構成して良く、又は第２ＵＥに対してＬＴＥにおける元の送信モード、例えばＴＭ１からＴＭ９を構成して良い。第１構成ユニット１０１が第１ＵＥに対して新送信モードを構成するとき、第１ＵＥは、ユーザ固有参照信号を用いることによりデータを復調して良く、又はセル固有参照信号を用いることによりデータを復調して良い。説明は、以下に別個に与えられる。
【００６３】
第１のケースでは、第１構成ユニット１０１が第１ＵＥに対して新送信モードを構成し、第１ＵＥがユーザ固有参照信号を用いることによりデータを復調し、第２ＵＥがユーザ固有参照信号を用いることによりデータを復調するとき、第１ダウンリンク制御シグナリングの中の第１ＵＥのスケジューリング指示情報は、具体的には、第１ＵＥの以下の情報、リソース位置指示、変調及び符号化方式、ハイブリッド自動再送要求プロセスの量、新規データ指示子情報、反復バージョン情報、パイロットのリソースエレメント当たりのエネルギ（energy  per  resource、ＥＰＲＥ）の第１ＵＥのデータのＥＰＲＥに対する比、トランスポート層の量、又はアンテナポート情報、のうち１又は複数の種類を有し、及び第１ダウンリンク制御シグナリングの中の第２ＵＥのスケジューリング指示情報は、具体的には、第２ＵＥの以下の情報、無線ネットワーク一時識別子、変調及び符号化方式、アンテナポート情報、パイロットのＥＰＲＥの第２ＵＥのデータのＥＰＲＥに対する比、第１ＵＥのデータのＥＰＲＥの第２ＵＥのデータのＥＰＲＥに対する比、データ電力情報、又はトランスポート層の量の情報、のうちの１又は複数の種類を有する。
【００６４】
ＮＯＭＡ送信モードがＬＴＥに導入されないとき、基地局は、各ＵＥへ、各ＵＥに関連する情報を伝達するダウンリンク制御シグナリングを送信する。ＮＯＭＡ送信モードがＬＴＥに導入されるとき、以下のように理解できる：第１ＵＥに対して、基地局は、第１ＵＥへ本来送信されるべきダウンリンク制御シグナリングに、第２ＵＥのスケジューリング指示情報を追加して（例えば、第２ＵＥのスケジューリング指示情報の追加は、本来のダウンリンク制御シグナリングにフィールドを追加することにより実施されて良い）、新しいダウンリンク制御シグナリング（つまり、第１ダウンリンク制御シグナリング）を形成するようにし、第１ＵＥへ本来送信されるべきダウンリンク制御シグナリングを第１ダウンリンク制御シグナリングにより置換し、そして第１ダウンリンク制御シグナリングを第１ＵＥへ送信する。第２ＵＥに対して、基地局は、新しいダウンリンク制御シグナリングを第２ＵＥへ送信しない。つまり、第２ＵＥに対して、基地局は、依然として、第２ＵＥへ本来送信されるべきダウンリンク制御シグナリングを使用し続け、第２ＵＥは、基地局がＮＯＭＡ変調信号を送信することを知らない。
【００６５】
第２のケースでは、第１構成ユニット１０１が第１ＵＥに対して新送信モードを構成し、第１ＵＥがユーザ固有参照信号を用いることによりデータを復調し、第２ＵＥがセル固有参照信号を用いることによりデータを復調するとき、第１ダウンリンク制御シグナリングの中の第１ＵＥのスケジューリング指示情報は、具体的には、第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、第１ダウンリンク制御シグナリングの中の第２ＵＥのスケジューリング指示情報は、具体的には、第２ＵＥの以下の情報：無線ネットワーク一時識別子、変調及び符号化方式、パイロットを有しない直交周波数分割多重（Orthogonal  Frequency  Division  Multiplexing、ＯＦＤＭ）シンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、第２ＵＥがＬＴＥにおける送信モード３を用いるとき、第１ダウンリンク制御シグナリングは、第２ＵＥのトランスポート層の量を更に有し、第２ＵＥがＬＴＥにおける送信モード４を用いるとき、第１ダウンリンク制御シグナリングは、第２ＵＥのトランスポート層の量及びプリコーディング情報を更に有し、又は第２ＵＥがＬＴＥにおける送信モード５若しくはＬＴＥにおける送信モード６を用いるとき、第１ダウンリンク制御シグナリングは、第２ＵＥのプリコーディング情報を更に有する。
【００６６】
本ケースでは、依然として、基地局は、新しいダウンリンク制御シグナリングを第２ＵＥへ送信せず、第２ＵＥは基地局がＮＯＭＡ変調信号を送信することを知らないと考えられる。
【００６７】
前述の２つのケースでは、第１送信ユニット１０２、新しいダウンリンク制御シグナリング（つまり、第２ダウンリンク制御シグナリング）を第２ＵＥへも送信して良い。第２ダウンリンク制御シグナリングは、第１ＵＥの復調参照信号（DeModulation  Reference  Signal、ＤＭＲＳ）ポート情報、及び第２ＵＥのスケジューリング指示情報を含む。第２ダウンリンク制御シグナリングの中の第２ＵＥのスケジューリング指示情報は、具体的には、第２ＵＥの以下の情報：リソース位置指示、変調及び符号化方式、ハイブリッド自動再送要求プロセスの量、新規データ指示子情報、又は反復バージョン情報、のうちの１又は複数の種類を含む。本ケースでは、以下のように理解できる：第２ＵＥに対して、基地局は、第２ＵＥへ本来送信されるべきダウンリンク制御シグナリングに、第１ＵＥのＤＭＲＳポート情報を追加して（例えば、第１ＵＥのＤＭＲＳポート情報の追加は、本来のダウンリンク制御シグナリングにフィールドを追加することにより実施されて良い）、新しいダウンリンク制御シグナリング（つまり、第２ダウンリンク制御シグナリング）を形成するようにし、第２ＵＥへ本来送信されるべきダウンリンク制御シグナリングを第２ダウンリンク制御シグナリングにより置換し、そして第２ダウンリンク制御シグナリングを第２ＵＥへ送信する。本ケースでは、第２ＵＥは、基地局がＮＯＭＡ変調信号を送信することを知る。
【００６８】
前述の幾つかのケースでは、第１ＵＥはユーザ固有参照信号を用いることによりデータを復調するので、ユーザ固有参照信号と第２ＵＥのデータとの間にリソースマッピング衝突が存在する。衝突は、第２ダウンリンク制御シグナリングに含まれる第１ＵＥのＤＭＲＳポート情報に従い、及び以下の方法：第１ＵＥのＤＭＲＳパイロット及び第２ＵＥのデータは、直接重畳される、又は第２ＵＥのデータは第１ＵＥのＤＭＲＳパイロット位置にパンクチャされる、を用いることにより、解決できる。
【００６９】
第３のケースでは、第１構成ユニット１０１が第１ＵＥに対して新送信モードを構成し、第１ＵＥがセル固有参照信号を用いることによりデータを復調し、第２ＵＥがセル固有参照信号を用いることによりデータを復調するとき、第１ダウンリンク制御シグナリングの中の第１ＵＥのスケジューリング指示情報は、具体的には、第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、第１ダウンリンク制御シグナリングの中の第２ＵＥのスケジューリング指示情報は、具体的には、第２ＵＥの以下の情報：パイロットを有しないＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、第２ＵＥがＬＴＥにおける送信モード３を用いるとき、第１ダウンリンク制御シグナリングは、第２ＵＥのトランスポート層の量を更に有し、第２ＵＥがＬＴＥにおける送信モード４を用いるとき、第１ダウンリンク制御シグナリングは、第２ＵＥのトランスポート層の量及びプリコーディング情報を更に有し、又は第２ＵＥがＬＴＥにおける送信モード５若しくはＬＴＥにおける送信モード６を用いるとき、第１ダウンリンク制御シグナリングは、第２ＵＥのプリコーディング情報を更に有する。
【００７０】
第２ＵＥに対して、基地局は、新しいダウンリンク制御シグナリングを第２ＵＥへ送信せず、依然として、元のダウンリンク制御シグナリングを第２ＵＥに対して使用し続け、第２ＵＥは、基地局がＮＯＭＡ変調信号を送信することを知らないと考えられる。
【００７１】
第４のケースでは、第１構成ユニット１０１が第１ＵＥに対して新送信モードを構成し、第１ＵＥがセル固有参照信号を用いることによりデータを復調し、第２ＵＥがユーザ固有参照信号を用いることによりデータを復調するとき、第１ダウンリンク制御シグナリングの中の第１ＵＥのスケジューリング指示情報は、具体的には、第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び第１ダウンリンク制御シグナリングの中の第２ＵＥのスケジューリング指示情報は、具体的には、第２ＵＥの以下の情報：無線ネットワーク一時識別子、送信モード、変調及び符号化方式、アンテナポート情報、トランスポート層の量、第１ＵＥのデータのＥＰＲＥの第２ＵＥのデータのＥＰＲＥに対する比、第１ＵＥのデータのＥＰＲＥの第２ＵＥの専用パイロットのＥＰＲＥに対する比、又は専用パイロット電力情報、のうちの１又は複数の種類を有する。
【００７２】
第２ＵＥに対して、基地局は、新しいダウンリンク制御シグナリングを第２ＵＥへ送信せず、依然として、元のダウンリンク制御シグナリングを第２ＵＥに対して使用し続け、第２ＵＥは、基地局がＮＯＭＡ変調信号を送信することを知らないと考えられる。
【００７３】
さらに、前述の種々のケースにおいて、送信ユニット１０２により第１ＵＥへ送信される第１ダウンリンク制御シグナリングは、第２ＵＥの新規データ指示子（new  data  indicator、ＮＤＩ）情報及び／又は反復バージョン情報を更に含んで良い。このように、第１ダウンリンク制御シグナリングを受信した後に、第１ＵＥは、第２ＵＥのＮＤＩ又は反復バージョンを決定することにより、第２ＵＥのデータが再送データか否かを決定できる。第２ＵＥのデータが再送データである場合、第１ＵＥは、干渉信号推定の前の結果を参照して干渉再構成を実行し、干渉再構成の結果に従い干渉除去を実行して良く、干渉信号推定の正確さが向上され得るようにする。
【００７４】
以下で図２を参照すると、本発明における基地局の別の実施形態は、第１プロセッサ２０１、及び送信機２０２、を含む。
【００７５】
第１プロセッサ２０１は、第１ＵＥに対して新送信モードを構成し、第１ＵＥに構成された新送信モードを通知するよう構成され、新送信モードは、第１ＵＥと同一セルに位置する第２ＵＥの送信信号が、第１ＵＥに割り当てられた時間周波数リソースに重畳され、第２ＵＥが第１ＵＥの干渉ＵＥであることを示し、干渉ＵＥは、第２ＵＥの送信信号及び第１ＵＥの送信信号が時間ドメイン、周波数ドメイン、空間ドメイン、又はコードドメインのいずれでも直交しないことを示す。
【００７６】
第１プロセッサ２０１は、第１ダウンリンク制御シグナリングを第１ＵＥへ送信するよう第１送信機２０２を制御するよう構成され、第１ＵＥが、第１ダウンリンク制御シグナリングに従い、基地局により送信された受信信号を復調できるようにし、第１ダウンリンク制御シグナリングは、第１ＵＥのスケジューリング指示情報及び第２ＵＥのスケジューリング指示情報を含む。
【００７７】
さらに、本実施形態における基地局２００は、前述の実施形態において基地局１００により実行され得る他の動作を実行するよう更に構成されて良く、詳細事項はここで再び記載されない。詳細については、前述の実施形態を参照のこと。
【００７８】
前述の２つの実施形態は、第１ＵＥ及び第２ＵＥのために異なるダウンリンク制御シグナリングを別個に生成し、異なるダウンリンク制御シグナリングを用いることにより異なるＵＥに対してスケジューリングを実行する基地局を記載する。以下の実施形態は、異なるＵＥについて同じダウンリンク制御シグナリングを生成し、及び同じダウンリンク制御シグナリングを用いることによりスケジューリングを実行する基地局を記載する。図３を参照すると、本実施形態における基地局３００は、第２構成ユニット３０１、及び第２送信ユニット３０２を含む。
【００７９】
第２構成ユニット３０１は、第１ＵＥ及び第２ＵＥに対して新送信モードを構成し、第１ＵＥ及び第２ＵＥに構成した新送信モードを通知するよう構成され、新送信モードは、第１ＵＥの送信信号及び第２ＵＥの送信信号が同じ時間周波数リソースに多重化され、第１ＵＥ及び第２ＵＥは同一セル内に位置し、第１ＵＥ及び第２ＵＥは互いの干渉ＵＥであることを示し、干渉ＵＥは、第２ＵＥの送信信号及び第１ＵＥの送信信号が時間ドメイン、周波数ドメイン、空間ドメイン、又はコードドメインのいずれにおいても直交しないことを示す。
【００８０】
第２送信ユニット３０２は、同じダウンリンク制御シグナリングを第１ＵＥ及び第２ＵＥへ送信するよう構成され、第１ＵＥ及び第２ＵＥが、ダウンリンク制御シグナリングに従い、基地局により送信された受信信号を復調できるようにし、ダウンリンク制御シグナリングは、第１ＵＥのスケジューリング指示情報及び第２ＵＥのスケジューリング指示情報を含む。
【００８１】
第１ＵＥのスケジューリング指示情報は、具体的には、第１ＵＥの以下の情報：リソース位置指示、変調及び符号化方式、パイロットのＥＰＲＥの第１ＵＥのデータのＥＰＲＥに対する比、第１ＵＥのデータのＥＰＲＥの第２ＵＥのデータのＥＰＲＥに対する比、アンテナポート情報、ハイブリッド自動再送要求プロセスの量、新規データ指示子情報、又は反復バージョン情報、のうちの１又は複数の種類を含む。第２ＵＥのスケジューリング指示情報は、具体的には、第２ＵＥの以下の情報：リソース位置指示、変調及び符号化方式、パイロットのＥＰＲＥの第２ＵＥのデータのＥＰＲＥに対する比、アンテナポート情報、ハイブリッド自動再送要求プロセスの量、新規データ指示子情報、又は反復バージョン情報、のうちの１又は複数の種類を含む。
【００８２】
留意すべきことに、本実施形態では、第１ＵＥの送信信号及び第２ＵＥの送信信号は、同じ時間周波数リソースに多重化されるので、第１ＵＥのリソース位置指示は、第２ＵＥのリソース位置指示と同じである。特定の実装では、第１ＵＥのリソース位置指示及び第２ＵＥのリソース位置指示は、共通リソース位置指示により置換されて良い。
【００８３】
本実施形態では、別のＵＥのスケジューリング指示情報が、第２送信ユニット３０２により各ＵＥへ送信されるべきダウンリンク制御シグナリングの中で構成されるので、各ＵＥは、ダウンリンク制御シグナリングに含まれる情報に従い各ＵＥのデータの復調に成功できる。したがって、本発明では、ＮＯＭＡ送信方法がＬＴＥシステムに導入され、スペクトル利用が向上される。さらに、ダウンリンク制御シグナリングの各ピースは、２つの多重化ユーザのスケジューリング情報を示し、基地局は、同じダウンリンク制御シグナリングを用いることにより複数のユーザをスケジューリングし、それによりシグナリングオーバヘッドを削減する。
【００８４】
図４を参照すると、本発明における基地局の別の実施形態は、第２プロセッサ４０１、及び第２送信機４０２、を含む。
【００８５】
第２プロセッサ４０１は、第１ＵＥ及び第２ＵＥに対して新送信モードを構成し、第１ＵＥ及び第２ＵＥに構成した新送信モードを通知するよう構成され、新送信モードは、第１ＵＥの送信信号及び第２ＵＥの送信信号が同じ時間周波数リソースに多重化され、第１ＵＥ及び第２ＵＥは同一セル内に位置し、第１ＵＥ及び第２ＵＥは互いの干渉ＵＥであることを示し、干渉ＵＥは、第２ＵＥの送信信号及び第１ＵＥの送信信号が時間ドメイン、周波数ドメイン、空間ドメイン、又はコードドメインのいずれにおいても直交しないことを示す。
【００８６】
第２プロセッサ４０１は、同じダウンリンク制御シグナリングを第１ＵＥ及び第２ＵＥへ送信するよう第２送信機を制御するよう更に構成され、第１ＵＥ及び第２ＵＥが、ダウンリンク制御シグナリングに従い、基地局により送信された受信信号を復調できるようにし、ダウンリンク制御シグナリングは、第１ＵＥのスケジューリング指示情報及び第２ＵＥのスケジューリング指示情報を含む。
【００８７】
第１ＵＥのスケジューリング指示情報は、具体的には、第１ＵＥの以下の情報：リソース位置指示、変調及び符号化方式、パイロットのＥＰＲＥの第１ＵＥのデータのＥＰＲＥに対する比、第１ＵＥのデータのＥＰＲＥの第２ＵＥのデータのＥＰＲＥに対する比、アンテナポート情報、ハイブリッド自動再送要求プロセスの量、新規データ指示子情報、又は反復バージョン情報、のうちの１又は複数の種類を含む。第２ＵＥのスケジューリング指示情報は、具体的には、第２ＵＥの以下の情報：リソース位置指示、変調及び符号化方式、パイロットのＥＰＲＥの第２ＵＥのデータのＥＰＲＥに対する比、アンテナポート情報、ハイブリッド自動再送要求プロセスの量、新規データ指示子情報、又は反復バージョン情報、のうちの１又は複数の種類を含む。
【００８８】
留意すべきことに、本実施形態では、第１ＵＥの送信信号及び第２ＵＥの送信信号は、同じ時間周波数リソースに多重化されるので、第１ＵＥのリソース位置指示は、第２ＵＥのリソース位置指示と同じである。特定の実装では、第１ＵＥのリソース位置指示及び第２ＵＥのリソース位置指示は、共通リソース位置指示により置換されて良い。
【００８９】
以下は、本発明の一実施形態において提供されるＵＥを記載する。図５を参照すると、本実施形態のＵＥは第１ＵＥであり、本実施形態のＵＥは以下を含む：
受信ユニット５０１であって、新送信モードのものであり基地局により送信される構成情報を受信するよう構成され、新送信モードは、基地局が第１ＵＥと同一セル内に位置する第２ＵＥの送信信号を、基地局により第１ＵＥに割り当てられた時間周波数リソースに重畳し、第２ＵＥは第１ＵＥの干渉ＵＥであることを示し、
受信ユニット５０１は、新送信モードで、基地局により送信されるダウンリンク制御シグナリングを受信するよう更に構成され、ダウンリンク制御シグナリングは、第１ＵＥのスケジューリング指示情報と第２ＵＥのスケジューリング指示情報とを含む、受信ユニット５０１。
復調ユニット５０３であって、ダウンリンク制御シグナリングに従い、基地局により送信された受信データを復調するよう構成される、復調ユニット５０３。
【００９０】
具体的には、基地局が第１ＵＥに対して新送信モードを構成すると、基地局は、構成した新送信モードを第１ＵＥに通知する（例えば、通知は、シグナリングを送信することにより実施されて良い）。つまり、基地局は、新送信モードの構成情報を第１ＵＥへ送信する。基地局が第１ＵＥに対して新送信モードを構成しない、つまり基地局がＮＯＭＡ送信モードを導入しないが、ＬＴＥにおける本来の送信モードを構成する場合、基地局は、相応して、第１ＵＥへ本来のダウンリンク制御シグナリングを送信し、第１ＵＥは、本来のダウンリンク制御シグナリングに従いデータを復調する。本ケースでは、時間周波数リソース多重化は存在せず、スペクトル利用は向上されない。
【００９１】
新送信モードでは、第１ＵＥの復調ユニット５０３は、ユーザ固有参照信号を用いることによりデータを復調して良く、又はセル固有参照信号を用いることによりデータを復調して良い。説明は、以下に別個に与えられる。
【００９２】
第１のケースでは、新送信モードで、第１ＵＥがユーザ固有参照信号を用いることによりデータを復調し、第２ＵＥがユーザ固有参照信号を用いることによりデータを復調するとき、ダウンリンク制御シグナリングの中の第１ＵＥのスケジューリング指示情報は、具体的には、第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの第１ＵＥのデータのＥＰＲＥに対する比、トランスポート層の量、又はアンテナポート情報、のうち１又は複数の種類を有し、及びダウンリンク制御シグナリングの中の第２ＵＥのスケジューリング指示情報は、具体的には、第２ＵＥの以下の情報：無線ネットワーク一時識別子、変調及び符号化方式、アンテナポート情報、パイロットのＥＰＲＥの第２ＵＥのデータのＥＰＲＥに対する比、第１ＵＥのデータのＥＰＲＥの第２ＵＥのデータのＥＰＲＥに対する比、データ電力情報、又はトランスポート層の量の情報、のうちの１又は複数の種類を有する。
【００９３】
本ケースでは、第１ＵＥへ本来送信されるべきダウンリンク制御シグナリングと比べて、第１ＵＥへ送信されるダウンリンク制御シグナリングは、第２ＵＥのスケジューリング指示情報を含む。第２ＵＥに対して、基地局は、新しいダウンリンク制御シグナリングを第２ＵＥへ送信せず、依然として、元のダウンリンク制御シグナリングを第２ＵＥに対して使用し続け、第２ＵＥは、基地局がＮＯＭＡ変調信号を送信することを知らないと考えられる。
【００９４】
第２のケースでは、新送信モードで、第１ＵＥがユーザ固有参照信号を用いることによりデータを復調し、第２ＵＥがセル固有参照信号を用いることによりデータを復調するとき、ダウンリンク制御シグナリングの中の第１ＵＥのスケジューリング指示情報は、具体的には、第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、
ダウンリンク制御シグナリングの中の第２ＵＥのスケジューリング指示情報は、具体的には、第２ＵＥの以下の情報：無線ネットワーク一時識別子、変調及び符号化方式、パイロットを有しないＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、第２ＵＥがＬＴＥにおける送信モード３を用いるとき、ダウンリンク制御シグナリングは、第２ＵＥのトランスポート層の量を更に有し、第２ＵＥがＬＴＥにおける送信モード４を用いるとき、ダウンリンク制御シグナリングは、第２ＵＥのトランスポート層の量及びプリコーディング情報を更に有し、又は第２ＵＥがＬＴＥにおける送信モード５若しくはＬＴＥにおける送信モード６を用いるとき、ダウンリンク制御シグナリングは、第２ＵＥのプリコーディング情報を更に有する。
【００９５】
本ケースでは、第１ＵＥへ本来送信されるべきダウンリンク制御シグナリングと比べて、第１ＵＥへ送信されるダウンリンク制御シグナリングは、第２ＵＥのスケジューリング指示情報を含む。第２ＵＥに対して、基地局は、新しいダウンリンク制御シグナリングを第２ＵＥへ送信せず、依然として、元のダウンリンク制御シグナリングを第２ＵＥに対して使用し続け、第２ＵＥは、基地局がＮＯＭＡ変調信号を送信することを知らないと考えられる。
【００９６】
前述の２つのケースでは、基地局は、新しいダウンリンク制御シグナリングを第２ＵＥへも送信して良い（つまり、基地局は、第２ＵＥへ本来送信されるべきダウンリンク制御シグナリングに、第１ＵＥのＤＭＲＳポート情報を追加する）。本ケースでは、第２ＵＥへ送信されるダウンリンク制御シグナリングは、第２ＵＥの以下の情報：リソース位置指示、変調及び符号化方式、ハイブリッド自動再送要求プロセスの量、新規データ指示子情報、又は反復バージョン情報、のうちの１又は複数の種類を更に含む。本ケースでは、第２ＵＥは、基地局がＮＯＭＡ変調信号を送信することを知る。
【００９７】
前述の幾つかのケースでは、第１ＵＥはユーザ固有参照信号を用いることによりデータを復調するので、ユーザ固有参照信号と第２ＵＥのデータとの間にリソースマッピング衝突が存在する。衝突は、第１ＵＥのＤＭＲＳポート情報に従い、及び以下の方法：第１ＵＥのＤＭＲＳパイロット及び第２ＵＥのデータは、直接重畳される、又は第２ＵＥのデータは第１ＵＥのＤＭＲＳパイロット位置にパンクチャされる、を用いることにより、解決できる。
【００９８】
第３のケースでは、新送信モードで、第１ＵＥがセル固有参照信号を用いることによりデータを復調し、第２ＵＥがセル固有参照信号を用いることによりデータを復調するとき、ダウンリンク制御シグナリングの中の第１ＵＥのスケジューリング指示情報は、具体的には、第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、
ダウンリンク制御シグナリングの中の第２ＵＥのスケジューリング指示情報は、具体的には、第２ＵＥの以下の情報：パイロットを有しないＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、第２ＵＥがＬＴＥにおける送信モード３を用いるとき、ダウンリンク制御シグナリングは、第２ＵＥのトランスポート層の量を更に有し、第２ＵＥがＬＴＥにおける送信モード４を用いるとき、ダウンリンク制御シグナリングは、第２ＵＥのトランスポート層の量及びプリコーディング情報を更に有し、又は第２ＵＥがＬＴＥにおける送信モード５若しくはＬＴＥにおける送信モード６を用いるとき、ダウンリンク制御シグナリングは、第２ＵＥのプリコーディング情報を更に有する。
【００９９】
第２ＵＥに対して、基地局は、新しいダウンリンク制御シグナリングを第２ＵＥへ送信せず、依然として、元のダウンリンク制御シグナリングを第２ＵＥに対して使用し続け、第２ＵＥは、基地局がＮＯＭＡ変調信号を送信することを知らないと考えられる。
【０１００】
第４のケースでは、新送信モードで、第１ＵＥがセル固有参照信号を用いることによりデータを復調し、第２ＵＥがユーザ固有参照信号を用いることによりデータを復調するとき、ダウンリンク制御シグナリングの中の第１ＵＥのスケジューリング指示情報は、具体的には、第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及びダウンリンク制御シグナリングの中の第２ＵＥのスケジューリング指示情報は、具体的には、第２ＵＥの以下の情報：無線ネットワーク一時識別子、送信モード、変調及び符号化方式、アンテナポート情報、トランスポート層の量、第１ＵＥのデータのリソースエレメント当たりのエネルギＥＰＲＥの第２ＵＥのデータのＥＰＲＥに対する比、第１ＵＥのデータのＥＰＲＥの第２ＵＥの専用パイロットのＥＰＲＥに対する比、又は専用パイロット電力情報、のうちの１又は複数の種類を有する。
【０１０１】
第２ＵＥに対して、基地局は、新しいダウンリンク制御シグナリングを第２ＵＥへ送信せず、依然として、元のダウンリンク制御シグナリングを第２ＵＥに対して使用し続け、第２ＵＥは、基地局がＮＯＭＡ変調信号を送信することを知らないと考えられる。
【０１０２】
さらに、前述の種々のケースにおいて、第１ＵＥへ送信されるダウンリンク制御シグナリングの中の第２ＵＥのスケジューリング指示情報は、具体的には、第２ＵＥの新規データ指示子情報及び／又は反復バージョン情報を更に有する。復調ユニット５０３は、第２ＵＥの新規データ指示子情報及び／又は反復バージョン情報に従い、第２ＵＥの送信データが再送データか否かを決定する。第２ＵＥの送信データが再送データである場合、復調ユニット５０３は、第２ＵＥの送信信号の推定の既存の結果を参照して、干渉再構成を実行し、干渉再構成の結果に従い干渉除去を実行する。
【０１０３】
前述の幾つかのケースでは、異なるＵＥのスケジューリングを実施するために、基地局が異なるダウンリンク制御シグナリングを異なるＵＥへ送信することと等価である。実際の適用では、基地局は、さらに、第１ＵＥ及び第２ＵＥの両方に対して新送信モードを構成し、第１ＵＥ及び第２ＵＥへ同じダウンリンク制御シグナリングを送信して良い。本ケースでは、ダウンリンク制御シグナリングの中の第１ＵＥのスケジューリング指示情報は、具体的には、第１ＵＥの以下の情報：リソース位置指示、変調及び符号化方式、パイロットのＥＰＲＥの第１ＵＥのデータのＥＰＲＥに対する比、第１ＵＥのデータのＥＰＲＥの第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、ダウンリンク制御シグナリングの中の第２ＵＥのスケジューリング指示情報は、第２ＵＥの以下の情報：リソース位置指示、変調及び符号化方式、パイロットのＥＰＲＥの第２ＵＥのデータのＥＰＲＥに対する比、アンテナポート情報、ハイブリッド自動再送要求プロセスの量、新規データ指示子情報、又は反復バージョン情報、のうちの１又は複数の種類を有する。
【０１０４】
本実施形態では、受信ユニットにより受信されるダウンリンク制御シグナリングは、第２ＵＥのスケジューリング指示情報を含むので、第１ＵＥは、ダウンリンク制御シグナリングに含まれる第２ＵＥのスケジューリング指示情報に従い、第２ＵＥの送信データを識別し及び除去でき、そして第１ＵＥのデータの復調に成功する。第２ＵＥは、干渉除去を実行することなく、第２ＵＥのデータを直接復調して良い。したがって、本発明では、ＮＯＭＡ送信方法がＬＴＥシステムに導入され、スペクトル利用が向上される。
【０１０５】
図６を参照すると、別の実施形態では、ＵＥは、第３プロセッサ６０１、及び受信機６０２を含む。
【０１０６】
第３プロセッサ６０１は、新送信モードの構成情報を受信するよう受信機６０２を制御するよう構成され、新送信モードは、基地局が第１ＵＥと同一セル内に位置する第２ＵＥの送信信号を、基地局により第１ＵＥに割り当てられた時間周波数リソースに重畳し、第２ＵＥは第１ＵＥの干渉ＵＥであることを示す。
【０１０７】
第３プロセッサ６０１は、新送信モードで、基地局により送信されるダウンリンク制御シグナリングを受信するよう受信機６０２を制御するよう更に構成され、ダウンリンク制御シグナリングは、第１ＵＥのスケジューリング指示情報と第２ＵＥのスケジューリング指示情報とを含む。
【０１０８】
第３プロセッサ６０１は、ダウンリンク制御シグナリングに従い、基地局により送信された受信データを復調するよう更に構成される。
【０１０９】
さらに、本実施形態におけるＵＥ６００は、前述の実施形態においてＵＥ５００により実行され得る他の動作を実行するよう更に構成されて良く、詳細事項はここで再び記載されない。詳細については、前述の実施形態を参照のこと。
【０１１０】
以下は、本発明で提供される非直交多元接続送信方法を記載する。図７を参照すると、本実施形態における方法は、基地局に適用され、本実施形態における方法は、以下のステップを含む。
【０１１１】
７０１。第１ＵＥに対して新送信モードを構成し、新送信モードは、第１ＵＥと同一セルに位置する第２ＵＥの送信信号が、第１ＵＥに割り当てられた時間周波数リソースに重畳され、第２ＵＥが第１ＵＥの干渉ＵＥであることを示し、干渉ＵＥは、第２ＵＥの送信信号及び第１ＵＥの送信信号が時間ドメイン、周波数ドメイン、空間ドメイン、又はコードドメインのいずれでも直交しないことを示す。
【０１１２】
７０２。第１ダウンリンク制御シグナリングを第１ＵＥへ送信し、第１ＵＥが、第１ダウンリンク制御シグナリングに従い、基地局により送信された受信信号を復調できるようにし、第１ダウンリンク制御シグナリングは、第１ＵＥのスケジューリング指示情報及び第２ＵＥのスケジューリング指示情報を含む。
【０１１３】
特定の実装では、第１ＵＥに対して新送信モードが構成されるとき、第１ＵＥは、ユーザ固有参照信号を用いることによりデータを復調して良く、又はセル固有参照信号を用いることによりデータを復調して良い。説明は、以下に別個に与えられる。
【０１１４】
第１のケースでは、第１ＵＥに対して新送信モードを構成され、第１ＵＥがユーザ固有参照信号を用いることによりデータを復調し、第２ＵＥがユーザ固有参照信号を用いることによりデータを復調するとき、第１ダウンリンク制御シグナリングの中の第１ＵＥのスケジューリング指示情報は、具体的には、第１ＵＥの以下の情報：リソース位置指示、変調及び符号化方式、ハイブリッド自動再送要求プロセスの量、新規データ指示子情報、反復バージョン情報、パイロットのＥＰＲＥの第１ＵＥのデータのＥＰＲＥに対する比、トランスポート層の量、又はアンテナポート情報、のうち１又は複数の種類を有し、及び第１ダウンリンク制御シグナリングの中の第２ＵＥのスケジューリング指示情報は、具体的には、第２ＵＥの以下の情報：無線ネットワーク一時識別子、変調及び符号化方式、アンテナポート情報、パイロットのＥＰＲＥの第２ＵＥのデータのＥＰＲＥに対する比、第１ＵＥのデータのＥＰＲＥの第２ＵＥのデータのＥＰＲＥに対する比、データ電力情報、又はトランスポート層の量の情報、のうちの１又は複数の種類を有する。
【０１１５】
ＮＯＭＡ送信モードがＬＴＥに導入されないとき、基地局は、各ＵＥへ、各ＵＥに関連する情報を伝達するダウンリンク制御シグナリングを送信する。ＮＯＭＡ送信モードがＬＴＥに導入されるとき、以下のように理解できる：第１ＵＥに対して、基地局は、第１ＵＥへ本来送信されるべきダウンリンク制御シグナリングに、第２ＵＥのスケジューリング指示情報を追加して（例えば、第２ＵＥのスケジューリング指示情報の追加は、本来のダウンリンク制御シグナリングにフィールドを追加することにより実施されて良い）、新しいダウンリンク制御シグナリング（つまり、第１ダウンリンク制御シグナリング）を形成するようにし、第１ＵＥへ本来送信されるべきダウンリンク制御シグナリングを第１ダウンリンク制御シグナリングにより置換し、そして第１ダウンリンク制御シグナリングを第１ＵＥへ送信する。第２ＵＥに対して、基地局は、新しいダウンリンク制御シグナリングを第２ＵＥへ送信しない。つまり、第２ＵＥに対して、基地局は、依然として、第２ＵＥへ本来送信されるべきダウンリンク制御シグナリングを使用し続け、第２ＵＥは、基地局がＮＯＭＡ変調信号を送信することを知らない。
【０１１６】
第２のケースでは、第１ＵＥに対して新送信モードが構成され、第１ＵＥがユーザ固有参照信号を用いることによりデータを復調し、第２ＵＥがセル固有参照信号を用いることによりデータを復調するとき、第１ダウンリンク制御シグナリングの中の第１ＵＥのスケジューリング指示情報は、具体的には、第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、
第１ダウンリンク制御シグナリングの中の第２ＵＥのスケジューリング指示情報は、具体的には、第２ＵＥの以下の情報：無線ネットワーク一時識別子、変調及び符号化方式、パイロットを有しないＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、第２ＵＥがＬＴＥにおける送信モード３を用いるとき、第１ダウンリンク制御シグナリングは、第２ＵＥのトランスポート層の量を更に有し、第２ＵＥがＬＴＥにおける送信モード４を用いるとき、第１ダウンリンク制御シグナリングは、第２ＵＥのトランスポート層の量及びプリコーディング情報を更に有し、又は第２ＵＥがＬＴＥにおける送信モード５若しくはＬＴＥにおける送信モード６を用いるとき、第１ダウンリンク制御シグナリングは、第２ＵＥのプリコーディング情報を更に有する。
【０１１７】
本ケースでは、依然として、基地局は、新しいダウンリンク制御シグナリングを第２ＵＥへ送信せず、第２ＵＥは基地局がＮＯＭＡ変調信号を送信することを知らないと考えられる。
【０１１８】
前述の２つのケースでは、基地局は、新しいダウンリンク制御シグナリング（つまり、第２ダウンリンク制御シグナリング）を第２ＵＥへも送信して良い。第２ダウンリンク制御シグナリングは、第１ＵＥのＤＭＲＳポート情報、及び第２ＵＥのスケジューリング指示情報を含む。第２ダウンリンク制御シグナリングの中の第２ＵＥのスケジューリング指示情報は、具体的には、第２ＵＥの以下の情報：リソース位置指示、変調及び符号化方式、ハイブリッド自動再送要求プロセスの量、新規データ指示子情報、又は反復バージョン情報、のうちの１又は複数の種類を含む。本ケースでは、以下のように理解できる：第２ＵＥに対して、基地局は、第２ＵＥへ本来送信されるべきダウンリンク制御シグナリングに、第１ＵＥのＤＭＲＳポート情報を追加して（例えば、第１ＵＥのＤＭＲＳポート情報の追加は、本来のダウンリンク制御シグナリングにフィールドを追加することにより実施されて良い）、新しいダウンリンク制御シグナリング（つまり、第２ダウンリンク制御シグナリング）を形成するようにし、第２ＵＥへ本来送信されるべきダウンリンク制御シグナリングを第２ダウンリンク制御シグナリングにより置換し、そして第２ダウンリンク制御シグナリングを第２ＵＥへ送信する。本ケースでは、第２ＵＥは、基地局がＮＯＭＡ変調信号を送信することを知る。
【０１１９】
前述の幾つかのケースでは、第１ＵＥはユーザ固有参照信号を用いることによりデータを復調するので、ユーザ固有参照信号と第２ＵＥのデータとの間にリソースマッピング衝突が存在する。衝突は、第２ダウンリンク制御シグナリングに含まれる第１ＵＥのＤＭＲＳポート情報に従い、及び以下の方法：第１ＵＥのＤＭＲＳパイロット及び第２ＵＥのデータは、直接重畳される、又は第２ＵＥのデータは第１ＵＥのＤＭＲＳパイロット位置にパンクチャされる、を用いることにより、解決できる。
【０１２０】
第３のケースでは、第１ＵＥに対して新送信モードが構成され、第１ＵＥがセル固有参照信号を用いることによりデータを復調し、第２ＵＥがセル固有参照信号を用いることによりデータを復調するとき、第１ダウンリンク制御シグナリングの中の第１ＵＥのスケジューリング指示情報は、具体的には、第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、
第１ダウンリンク制御シグナリングの中の第２ＵＥのスケジューリング指示情報は、具体的には、第２ＵＥの以下の情報：パイロットを有しないＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、第２ＵＥがＬＴＥにおける送信モード３を用いるとき、第１ダウンリンク制御シグナリングは、第２ＵＥのトランスポート層の量を更に有し、第２ＵＥがＬＴＥにおける送信モード４を用いるとき、第１ダウンリンク制御シグナリングは、第２ＵＥのトランスポート層の量及びプリコーディング情報を更に有し、又は第２ＵＥがＬＴＥにおける送信モード５若しくはＬＴＥにおける送信モード６を用いるとき、第１ダウンリンク制御シグナリングは、第２ＵＥのプリコーディング情報を更に有する。
【０１２１】
第２ＵＥに対して、基地局は、新しいダウンリンク制御シグナリングを第２ＵＥへ送信せず、依然として、元のダウンリンク制御シグナリングを第２ＵＥに対して使用し続け、第２ＵＥは、基地局がＮＯＭＡ変調信号を送信することを知らないと考えられる。
【０１２２】
第４のケースでは、第１ＵＥに対して新送信モードが構成され、第１ＵＥがセル固有参照信号を用いることによりデータを復調し、第２ＵＥがユーザ固有参照信号を用いることによりデータを復調するとき、第１ダウンリンク制御シグナリングの中の第１ＵＥのスケジューリング指示情報は、具体的には、第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び第１ダウンリンク制御シグナリングの中の第２ＵＥのスケジューリング指示情報は、具体的には、第２ＵＥの以下の情報：無線ネットワーク一時識別子、送信モード、変調及び符号化方式、アンテナポート情報、トランスポート層の量、第１ＵＥのデータのＥＰＲＥの第２ＵＥのデータのＥＰＲＥに対する比、第１ＵＥのデータのＥＰＲＥの第２ＵＥの専用パイロットのＥＰＲＥに対する比、又は専用パイロット電力情報、のうちの１又は複数の種類を有する。
【０１２３】
第２ＵＥに対して、基地局は、新しいダウンリンク制御シグナリングを第２ＵＥへ送信せず、依然として、元のダウンリンク制御シグナリングを第２ＵＥに対して使用し続け、第２ＵＥは、基地局がＮＯＭＡ変調信号を送信することを知らないと考えられる。
【０１２４】
さらに、前述の種々のケースにおいて、第１ＵＥへ送信される第１ダウンリンク制御シグナリングは、第２ＵＥのＮＤＩ情報及び／又は反復バージョン情報を更に含んで良い。このように、第１ダウンリンク制御シグナリングを受信した後に、第１ＵＥは、第２ＵＥのＮＤＩ又は反復バージョンを決定することにより、第２ＵＥのデータが再送データか否かを決定できる。第２ＵＥのデータが再送データである場合、第１ＵＥは、干渉信号推定の前の結果を参照して干渉再構成を実行し、干渉再構成の結果に従い干渉除去を実行して良く、干渉信号推定の正確さが向上され得るようにする。
【０１２５】
本発明の本実施形態では、第１ダウンリンク制御シグナリングは、第２ＵＥのスケジューリング指示情報を含むので、第１ＵＥは、第１ダウンリンク制御シグナリングに含まれる第２ＵＥのスケジューリング指示情報に従い、第２ＵＥの干渉データを除去でき、そして第１ＵＥのデータの復調に成功する。第２ＵＥは、干渉除去を実行することなく、第２ＵＥのデータを直接復調して良い。したがって、本発明では、ＮＯＭＡ送信方法がＬＴＥシステムに導入され、スペクトル利用が向上される。
【０１２６】
前述の実施形態は、基地局が第１ＵＥ及び第２ＵＥのために異なるダウンリンク制御シグナリングを別個に生成し、異なるダウンリンク制御シグナリングを用いることにより異なるＵＥに対してスケジューリングを実行する方法を記載する。以下の実施形態は、異なるＵＥについて同じダウンリンク制御シグナリングが生成され、及び同じダウンリンク制御シグナリングを用いることによりスケジューリングが実行される方法を記載する。図８を参照すると、本実施形態における方法は、基地局に適用され、本実施形態における方法は、以下のステップを含む。
【０１２７】
８０１。第１ＵＥ及び第２ＵＥに対して新送信モードを構成し、新送信モードは、第１ＵＥの送信信号及び第２ＵＥの送信信号が同じ時間周波数リソースに多重化され、第１ＵＥ及び第２ＵＥは同一セル内に位置し、第１ＵＥ及び第２ＵＥは互いの干渉ＵＥであることを示し、干渉ＵＥは、第２ＵＥの送信信号及び第１ＵＥの送信信号が時間ドメイン、周波数ドメイン、空間ドメイン、又はコードドメインのいずれにおいても直交しないことを示す。
【０１２８】
８０２。同じダウンリンク制御シグナリングを第１ＵＥ及び第２ＵＥへ送信し、第１ＵＥ及び第２ＵＥが、ダウンリンク制御シグナリングに従い、基地局により送信された受信信号を復調できるようにし、ダウンリンク制御シグナリングは、第１ＵＥのスケジューリング指示情報及び第２ＵＥのスケジューリング指示情報を含む。
【０１２９】
第１ＵＥのスケジューリング指示情報は、具体的には、第１ＵＥの以下の情報：リソース位置指示、変調及び符号化方式、パイロットのＥＰＲＥの第１ＵＥのデータのＥＰＲＥに対する比、第１ＵＥのデータのＥＰＲＥの第２ＵＥのデータのＥＰＲＥに対する比、アンテナポート情報、ハイブリッド自動再送要求プロセスの量、新規データ指示子情報、又は反復バージョン情報、のうちの１又は複数の種類を含む。第２ＵＥのスケジューリング指示情報は、具体的には、第２ＵＥの以下の情報：リソース位置指示、変調及び符号化方式、パイロットのＥＰＲＥの第２ＵＥのデータのＥＰＲＥに対する比、アンテナポート情報、ハイブリッド自動再送要求プロセスの量、新規データ指示子情報、又は反復バージョン情報、のうちの１又は複数の種類を含む。
【０１３０】
留意すべきことに、本実施形態では、第１ＵＥの送信信号及び第２ＵＥの送信信号は、同じ時間周波数リソースに多重化されるので、第１ＵＥのリソース位置指示は、第２ＵＥのリソース位置指示と同じである。特定の実装では、第１ＵＥのリソース位置指示及び第２ＵＥのリソース位置指示は、共通リソース位置指示により置換されて良い。
【０１３１】
本実施形態では、別のＵＥのスケジューリング指示情報が、各ＵＥへ送信されるべきダウンリンク制御シグナリングの中で構成されるので、各ＵＥは、ダウンリンク制御シグナリングに含まれる情報に従い各ＵＥのデータの復調に成功できる。したがって、本発明では、ＮＯＭＡ送信方法がＬＴＥシステムに導入され、スペクトル利用が向上される。さらに、ダウンリンク制御シグナリングの各ピースは、２つの多重化ユーザのスケジューリング情報を示し、基地局は、同じダウンリンク制御シグナリングを用いることにより複数のユーザをスケジューリングし、それによりシグナリングオーバヘッドを削減する。
【０１３２】
図９を参照すると、図９は、本発明による非直交多元接続送信方法の別の実施形態である。本実施形態の方法は、主にＵＥに適用され、ＵＥは第１ＵＥであり、本実施形態の方法は以下のステップを含む。
【０１３３】
９０１。新送信モードのものであり基地局により送信される構成情報を受信し、新送信モードは、基地局が第１ＵＥと同一セル内に位置する第２ＵＥの送信信号を、基地局により第１ＵＥに割り当てられた時間周波数リソースに重畳し、第２ＵＥは第１ＵＥの干渉ＵＥであることを示す。
【０１３４】
９０２。新送信モードで、基地局により送信されるダウンリンク制御シグナリングを受信し、ダウンリンク制御シグナリングは、第１ＵＥのスケジューリング指示情報と第２ＵＥのスケジューリング指示情報とを含む。
【０１３５】
９０３。ダウンリンク制御シグナリングに従い、基地局により送信された受信データを復調する。
【０１３６】
具体的には、基地局が第１ＵＥに対して新送信モードを構成すると、基地局は、構成した新送信モードを第１ＵＥに通知する（例えば、通知は、シグナリングを送信することにより実施されて良い）。つまり、基地局は、新送信モードの構成情報を第１ＵＥへ送信する。基地局が第１ＵＥに対して新送信モードを構成しない、つまり基地局がＮＯＭＡ送信モードを導入しないが、ＬＴＥにおける本来の送信モードを構成する場合、基地局は、相応して、第１ＵＥへ本来のダウンリンク制御シグナリングを送信し、第１ＵＥは、本来のダウンリンク制御シグナリングに従いデータを復調する。本ケースでは、時間周波数リソース多重化は存在せず、スペクトル利用は向上されない。
【０１３７】
新送信モードでは、第１ＵＥは、ユーザ固有参照信号を用いることによりデータを復調して良く、又はセル固有参照信号を用いることによりデータを復調して良い。説明は、以下に別個に与えられる。
【０１３８】
第１のケースでは、新送信モードで、第１ＵＥがユーザ固有参照信号を用いることによりデータを復調し、第２ＵＥがユーザ固有参照信号を用いることによりデータを復調するとき、ダウンリンク制御シグナリングの中の第１ＵＥのスケジューリング指示情報は、具体的には、第１ＵＥの以下の情報：リソース位置指示、変調及び符号化方式、ハイブリッド自動再送要求プロセスの量、新規データ指示子情報、反復バージョン情報、パイロットのリソースエレメント当たりのエネルギＥＰＲＥの第１ＵＥのデータのＥＰＲＥに対する比、トランスポート層の量、又はアンテナポート情報、のうち１又は複数の種類を有し、及びダウンリンク制御シグナリングの中の第２ＵＥのスケジューリング指示情報は、具体的には、第２ＵＥの以下の情報：無線ネットワーク一時識別子、変調及び符号化方式、アンテナポート情報、パイロットのＥＰＲＥの第２ＵＥのデータのＥＰＲＥに対する比、第１ＵＥのデータのＥＰＲＥの第２ＵＥのデータのＥＰＲＥに対する比、データ電力情報、又はトランスポート層の量の情報、のうちの１又は複数の種類を有する。
【０１３９】
本ケースでは、第１ＵＥへ本来送信されるべきダウンリンク制御シグナリングと比べて、第１ＵＥへ送信されるダウンリンク制御シグナリングは、第２ＵＥのスケジューリング指示情報を含む。第２ＵＥに対して、基地局は、新しいダウンリンク制御シグナリングを第２ＵＥへ送信せず、依然として、元のダウンリンク制御シグナリングを第２ＵＥに対して使用し続け、第２ＵＥは、基地局がＮＯＭＡ変調信号を送信することを知らないと考えられる。
【０１４０】
第２のケースでは、新送信モードで、第１ＵＥがユーザ固有参照信号を用いることによりデータを復調し、第２ＵＥがセル固有参照信号を用いることによりデータを復調するとき、ダウンリンク制御シグナリングの中の第１ＵＥのスケジューリング指示情報は、具体的には、第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、ダウンリンク制御シグナリングの中の第２ＵＥのスケジューリング指示情報は、具体的には、第２ＵＥの以下の情報：無線ネットワーク一時識別子、変調及び符号化方式、パイロットを有しないＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有し、第２ＵＥがＬＴＥにおける送信モード３を用いるとき、ダウンリンク制御シグナリングは、第２ＵＥのトランスポート層の量を更に有し、第２ＵＥがＬＴＥにおける送信モード４を用いるとき、ダウンリンク制御シグナリングは、第２ＵＥのトランスポート層の量及びプリコーディング情報を更に有し、又は第２ＵＥがＬＴＥにおける送信モード５若しくはＬＴＥにおける送信モード６を用いるとき、ダウンリンク制御シグナリングは、第２ＵＥのプリコーディング情報を更に有する。
【０１４１】
本ケースでは、第１ＵＥへ本来送信されるべきダウンリンク制御シグナリングと比べて、第１ＵＥへ送信されるダウンリンク制御シグナリングは、第２ＵＥのスケジューリング指示情報を含む。第２ＵＥに対して、基地局は、新しいダウンリンク制御シグナリングを第２ＵＥへ送信せず、依然として、元のダウンリンク制御シグナリングを第２ＵＥに対して使用し続け、第２ＵＥは、基地局がＮＯＭＡ変調信号を送信することを知らないと考えられる。
【０１４２】
前述の２つのケースでは、基地局は、新しいダウンリンク制御シグナリングを第２ＵＥへも送信して良い（つまり、基地局は、第２ＵＥへ本来送信されるべきダウンリンク制御シグナリングに、第１ＵＥのＤＭＲＳポート情報を追加する）。本ケースでは、第２ＵＥへ送信されるダウンリンク制御シグナリングは、第２ＵＥの以下の情報：リソース位置指示、変調及び符号化方式、ハイブリッド自動再送要求プロセスの量、新規データ指示子情報、又は反復バージョン情報、のうちの１又は複数の種類を更に含む。本ケースでは、第２ＵＥは、基地局がＮＯＭＡ変調信号を送信することを知る。
【０１４３】
前述の幾つかのケースでは、第１ＵＥはユーザ固有参照信号を用いることによりデータを復調するので、ユーザ固有参照信号と第２ＵＥのデータとの間にリソースマッピング衝突が存在する。衝突は、第１ＵＥのＤＭＲＳポート情報に従い、及び以下の方法：第１ＵＥのＤＭＲＳパイロット及び第２ＵＥのデータは、直接重畳される、又は第２ＵＥのデータは第１ＵＥのＤＭＲＳパイロット位置にパンクチャされる、を用いることにより、解決できる。
【０１４４】
第３のケースでは、新送信モードで、第１ＵＥがセル固有参照信号を用いることによりデータを復調し、第２ＵＥがセル固有参照信号を用いることによりデータを復調するとき、ダウンリンク制御シグナリングの中の第１ＵＥのスケジューリング指示情報は、具体的には、第１ＵＥの以下の情報：リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、
ダウンリンク制御シグナリングの中の第２ＵＥのスケジューリング指示情報は、具体的には、第２ＵＥの以下の情報：パイロットを有しないＯＦＤＭシンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有し、第２ＵＥがＬＴＥにおける送信モード３を用いるとき、ダウンリンク制御シグナリングは、第２ＵＥのトランスポート層の量を更に有し、第２ＵＥがＬＴＥにおける送信モード４を用いるとき、ダウンリンク制御シグナリングは、第２ＵＥのトランスポート層の量及びプリコーディング情報を更に有し、又は第２ＵＥがＬＴＥにおける送信モード５若しくはＬＴＥにおける送信モード６を用いるとき、ダウンリンク制御シグナリングは、第２ＵＥのプリコーディング情報を更に有する。
【０１４５】
第２ＵＥに対して、基地局は、新しいダウンリンク制御シグナリングを第２ＵＥへ送信せず、依然として、元のダウンリンク制御シグナリングを第２ＵＥに対して使用し続け、第２ＵＥは、基地局がＮＯＭＡ変調信号を送信することを知らないと考えられる。
【０１４６】
第４のケースでは、新送信モードで、第１ＵＥがセル固有参照信号を用いることによりデータを復調し、第２ＵＥがユーザ固有参照信号を用いることによりデータを復調するとき、ダウンリンク制御シグナリングの中の第１ＵＥのスケジューリング指示情報は、具体的には、第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及びダウンリンク制御シグナリングの中の第２ＵＥのスケジューリング指示情報は、具体的には、第２ＵＥの以下の情報：無線ネットワーク一時識別子、送信モード、変調及び符号化方式、アンテナポート情報、トランスポート層の量、第１ＵＥのデータのリソースエレメント当たりのエネルギＥＰＲＥの第２ＵＥのデータのＥＰＲＥに対する比、第１ＵＥのデータのＥＰＲＥの第２ＵＥの専用パイロットのＥＰＲＥに対する比、又は専用パイロット電力情報、のうちの１又は複数の種類を有する。
【０１４７】
第２ＵＥに対して、基地局は、新しいダウンリンク制御シグナリングを第２ＵＥへ送信せず、依然として、元のダウンリンク制御シグナリングを第２ＵＥに対して使用し続け、第２ＵＥは、基地局がＮＯＭＡ変調信号を送信することを知らないと考えられる。
【０１４８】
さらに、前述の種々のケースにおいて、第１ＵＥへ送信されるダウンリンク制御シグナリングの中の第２ＵＥのスケジューリング指示情報は、具体的には、第２ＵＥの新規データ指示子情報及び／又は反復バージョン情報を更に有する。第１ＵＥは、第２ＵＥの新規データ指示子情報及び／又は反復バージョン情報に従い、第２ＵＥの送信データが再送データか否かを決定する。第２ＵＥの送信データが再送データである場合、第１ＵＥは、第２ＵＥの送信信号の推定の既存の結果を参照して、干渉再構成を実行し、干渉再構成の結果に従い干渉除去を実行する。
【０１４９】
前述の幾つかのケースでは、異なるＵＥのスケジューリングを実施するために、基地局が異なるダウンリンク制御シグナリングを異なるＵＥへ送信することと等価である。実際の適用では、基地局は、さらに、第１ＵＥ及び第２ＵＥの両方に対して新送信モードを構成し、第１ＵＥ及び第２ＵＥへ同じダウンリンク制御シグナリングを送信して良い。本ケースでは、ダウンリンク制御シグナリングの中の第１ＵＥのスケジューリング指示情報は、具体的には、第１ＵＥの以下の情報：リソース位置指示、変調及び符号化方式、パイロットのＥＰＲＥの第１ＵＥのデータのＥＰＲＥに対する比、第１ＵＥのデータのＥＰＲＥの第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、ダウンリンク制御シグナリングの中の第２ＵＥのスケジューリング指示情報は、第２ＵＥの以下の情報：リソース位置指示、変調及び符号化方式、パイロットのＥＰＲＥの第２ＵＥのデータのＥＰＲＥに対する比、アンテナポート情報、ハイブリッド自動再送要求プロセスの量、新規データ指示子情報、又は反復バージョン情報、のうちの１又は複数の種類を有する。
【０１５０】
本実施形態では、第１ＵＥにより受信されるダウンリンク制御シグナリングは、第２ＵＥのスケジューリング指示情報を含むので、第１ＵＥは、ダウンリンク制御シグナリングに含まれる第２ＵＥのスケジューリング指示情報に従い、第２ＵＥの送信データを識別し及び除去でき、そして第１ＵＥのデータの復調に成功する。第２ＵＥは、干渉除去を実行することなく、第２ＵＥのデータを直接復調して良い。したがって、本発明では、ＮＯＭＡ送信方法がＬＴＥシステムに導入され、スペクトル利用が向上される。
【０１５１】
留意すべきことに、第１ＵＥ及び第２ＵＥの両方がユーザ固有参照信号を用いることによりデータを復調するとき、第１ＵＥ及び第２ＵＥは、同じアンテナポートを使用して良く、又は異なるアンテナポートを使用して良い。本発明において仕様制限は課せられない。
【０１５２】
さらに、留意すべきことに、本発明において提供される方法を用いることにより、ＮＯＭＡ送信方法は、別の通信システムと更に結合されて良く、ＬＴＥシステムと結合されることに限定されない。いかなる仕様制限もここで課せられない。
【０１５３】
さらに、記載した装置の実施形態は単なる例である。別個の部分として記載されたユニットは、物理的に別個であって良く又はそうでなくて良い。また、ユニットとして表示された部分は、物理的なユニットであって良く又はそうでなくて良く、１カ所に置かれて良く或いは複数のネットワークユニットに分散されて良い。一部又は全部のモジュールは、実施形態のソリューションの目的を達成するために実際の必要に応じて選択されて良い。さらに、本発明の装置の実施形態の添付の図面において、モジュール間の接続関係は、モジュールが互いに通信接続を有し、具体的には１又は複数の通信バス若しくは信号ケーブルとして実装されて良いことを示す。当業者は、創造的努力を有しないで本発明の実施形態を理解し及び実施できる。
【０１５４】
前述の実装方法の説明に基づき、当業者は、本発明が必要な汎用ハードウェアに加えてソフトウェアにより、又は専用集積回路、専用ＣＰＵ、専用メモリ、専用コンポーネント、等を含む専用ハードウェアにより実装され得ることを明確に理解できる。概して、コンピュータプログラムにより実行できる任意の機能は、対応するハードウェアを使用することにより容易に実施できる。さらに、同一機能を達成するために使用される特定ハードウェア構造は、種々の形式、例えばアナログ回路、デジタル回路、又は専用回路の形式であって良い。しかしながら、本発明に関し、ソフトウェアプログラムの実装は、多くの場合により良好な実装方法である。このような理解に基づき、本発明の技術的解決策、又は従来技術に貢献する部分は、ソフトウェア製品の形式で実施されて良い。ソフトウェアプロダクトは、コンピュータのフロッピーディスク、ＵＳＢフラッシュドライブ、取り外し可能なハードディスク、読み出し専用メモリ（ＲＯＭ、Read−Only  Memory）、ランダムアクセスメモリ（ＲＡＭ、Random  Access  Memory）、磁気ディスク、又は光ディスクのような可読記憶媒体に格納され、コンピュータ装置（パーソナルコンピュータ、サーバ、ネットワーク装置、等であって良い）に、本発明の実施形態で記載された方法を実行するよう指示する幾つかの命令を含む。
【０１５５】
以上に、本発明の実施形態において提供される、非直交多元接続送信方法、基地局、及びＵＥを詳細に記載した。当業者は、本発明の実施形態の概念に従い特定の実装方法及び適用範囲に変更を行うことができる。したがって、本願明細書の内容は、本発明に対する限定として考えられるべきではない。
【図１】
2018505614.tif 000003
【図２】
2018505614.tif 000004
【図３】
2018505614.tif 000005
【図４】
2018505614.tif 000006
【図５】
2018505614.tif 000007
【図６】
2018505614.tif 000008
【図７】
2018505614.tif 000009
【図８】
2018505614.tif 000010
【図９】
2018505614.tif 000011
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）であって、前記ＵＥは、第１ＵＥであり、プロセッサ及び受信機を含み、
前記プロセッサは、送信モードの構成情報を受信するよう前記受信機を制御するよう構成され、前記送信モードは、基地局が、前記基地局により前記第１ＵＥに割り当てられた時間周波数リソースに、前記第１ＵＥと同一セル内に位置する第２ＵＥの送信信号を重畳し、前記第２ＵＥが前記第１ＵＥの干渉ＵＥであることを示し、
前記プロセッサは、前記送信モードで、ダウンリンク制御シグナリングを受信するよう前記受信機を制御するよう更に構成され、前記ダウンリンク制御シグナリングは、前記第１ＵＥのスケジューリング指示情報及び前記第２ＵＥのスケジューリング指示情報を有し、
前記プロセッサは、前記ダウンリンク制御シグナリングに従い、前記基地局からの受信データを復調するよう更に構成される、
ＵＥ。
【請求項２】
前記送信モードで、前記第１ＵＥがユーザ固有参照信号を用いることによりデータを復調し、前記第２ＵＥが前記ユーザ固有参照信号を用いることによりデータを復調するとき、
前記ダウンリンク制御シグナリングの中の前記第１ＵＥの前記スケジューリング指示情報は、前記第１ＵＥの以下の情報：
リソース位置指示、変調及び符号化方式、ハイブリッド自動再送要求プロセスの量、新規データ指示子情報、反復バージョン情報、パイロットのリソースエレメント当たりのエネルギ（ＥＰＲＥ）の前記第１ＵＥのデータのＥＰＲＥに対する比、トランスポート層の量、又はアンテナポート情報、のうち１又は複数の種類を有し、及び
前記ダウンリンク制御シグナリングの中の前記第２ＵＥの前記スケジューリング指示情報は、前記第２ＵＥの以下の情報：
無線ネットワーク一時識別子、変調及び符号化方式、アンテナポート情報、前記パイロットの前記ＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する、
請求項１に記載のＵＥ。
【請求項３】
前記送信モードで、前記第１ＵＥがユーザ固有参照信号を用いることによりデータを復調し、前記第２ＵＥがセル固有参照信号を用いることによりデータを復調するとき、
前記ダウンリンク制御シグナリングの中の前記第１ＵＥの前記スケジューリング指示情報は、前記第１ＵＥの以下の情報：
リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、
前記ダウンリンク制御シグナリングの中の前記第２ＵＥの前記スケジューリング指示情報は、前記第２ＵＥの以下の情報：
無線ネットワーク一時識別子、変調及び符号化方式、パイロットを有しない直交周波数分割多重（ＯＦＤＭ）シンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有する、
請求項１に記載のＵＥ。
【請求項４】
前記送信モードで、前記第１ＵＥがセル固有参照信号を用いることによりデータを復調し、前記第２ＵＥが前記セル固有参照信号を用いることによりデータを復調するとき、
前記ダウンリンク制御シグナリングの中の前記第１ＵＥの前記スケジューリング指示情報は、前記第１ＵＥの以下の情報：
リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、
前記ダウンリンク制御シグナリングの中の前記第２ＵＥの前記スケジューリング指示情報は、前記第２ＵＥの以下の情報：
パイロットを有しない直交周波数分割多重（ＯＦＤＭ）シンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有する、
請求項１に記載のＵＥ。
【請求項５】
前記送信モードで、前記第１ＵＥがセル固有参照信号を用いることによりデータを復調し、前記第２ＵＥがユーザ固有参照信号を用いることによりデータを復調するとき、
前記ダウンリンク制御シグナリングの中の前記第１ＵＥの前記スケジューリング指示情報は、前記第１ＵＥの以下の情報：
リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び
前記ダウンリンク制御シグナリングの中の前記第２ＵＥの前記スケジューリング指示情報は、前記第２ＵＥの以下の情報：
無線ネットワーク一時識別子、送信モード、変調及び符号化方式、アンテナポート情報、トランスポート層の量、前記第１ＵＥのデータのリソースエレメント当たりのエネルギ（ＥＰＲＥ）の前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する、
請求項１に記載のＵＥ。
【請求項６】
前記ダウンリンク制御シグナリングの中の前記第２ＵＥの前記スケジューリング指示情報は、前記第２ＵＥの新規データ指示子情報及び前記第２ＵＥの反復バージョン情報のうちの少なくとも１つを更に有する、請求項１乃至５のいずれか一項に記載のＵＥ。
【請求項７】
前記ダウンリンク制御シグナリングの中の前記第１ＵＥの前記スケジューリング指示情報は、前記第１ＵＥの以下の情報：
リソース位置指示、変調及び符号化方式、パイロットのリソースエレメント当たりのエネルギＥＰＲＥの前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、
前記ダウンリンク制御シグナリングの中の前記第２ＵＥの前記スケジューリング指示情報は、前記第２ＵＥの以下の情報：
リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する、
請求項１に記載のＵＥ。
【請求項８】
非直交多元接続送信方法であって、前記方法は、ユーザ機器（ＵＥ）に適用され、前記ＵＥは第１ＵＥであり、前記方法は、
基地局から送信モードの構成情報を受信するステップであって、前記送信モードは、前記基地局が、前記基地局により前記第１ＵＥに割り当てられた時間周波数リソースに、前記第１ＵＥと同一セル内に位置する第２ＵＥの送信信号を重畳し、前記第２ＵＥが前記第１ＵＥの干渉ＵＥであることを示し、
前記送信モードで、前記基地局からダウンリンク制御シグナリングを受信するステップであって、前記ダウンリンク制御シグナリングは、前記第１ＵＥのスケジューリング指示情報及び前記第２ＵＥのスケジューリング指示情報を有する、ステップと、
前記ダウンリンク制御シグナリングに従い、前記基地局からの受信データを復調するステップと、
を含む方法。
【請求項９】
前記送信モードで、前記第１ＵＥがユーザ固有参照信号を用いることによりデータを復調し、前記第２ＵＥが前記ユーザ固有参照信号を用いることによりデータを復調するとき、
前記ダウンリンク制御シグナリングの中の前記第１ＵＥの前記スケジューリング指示情報は、前記第１ＵＥの以下の情報：
リソース位置指示、変調及び符号化方式、ハイブリッド自動再送要求プロセスの量、新規データ指示子情報、反復バージョン情報、パイロットのリソースエレメント当たりのエネルギ（ＥＰＲＥ）の前記第１ＵＥのデータのＥＰＲＥに対する比、トランスポート層の量、又はアンテナポート情報、のうち１又は複数の種類を有し、及び
前記ダウンリンク制御シグナリングの中の前記第２ＵＥの前記スケジューリング指示情報は、前記第２ＵＥの以下の情報：
無線ネットワーク一時識別子、変調及び符号化方式、アンテナポート情報、前記パイロットの前記ＥＰＲＥの前記第２ＵＥのデータのＥＰＲＥに対する比、前記第１ＵＥの前記データの前記ＥＰＲＥの前記第２ＵＥのデータのＥＰＲＥに対する比、データ電力情報、又はトランスポート層の量の情報、のうちの１又は複数の種類を有する、
請求項８に記載の方法。
【請求項１０】
前記送信モードで、前記第１ＵＥがユーザ固有参照信号を用いることによりデータを復調し、前記第２ＵＥがセル固有参照信号を用いることによりデータを復調するとき、
前記ダウンリンク制御シグナリングの中の前記第１ＵＥの前記スケジューリング指示情報は、前記第１ＵＥの以下の情報：リソース位置指示、変調及び符号化方式、ランク情報、コードブック行列インデックス、ハイブリッド自動再送要求プロセスの量、新規データ指示子情報、反復バージョン情報、トランスポート層の量、又はアンテナポート情報、のうちの１又は複数の種類を有し、
前記ダウンリンク制御シグナリングの中の前記第２ＵＥの前記スケジューリング指示情報は、前記第２ＵＥの以下の情報：
無線ネットワーク一時識別子、変調及び符号化方式、パイロットを有しない直交周波数分割多重（ＯＦＤＭ）シンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、又は送信モード、のうちの１又は複数の種類を有する、
請求項８に記載の方法。
【請求項１１】
前記送信モードで、前記第１ＵＥがセル固有参照信号を用いることによりデータを復調し、前記第２ＵＥが前記セル固有参照信号を用いることによりデータを復調するとき、
前記ダウンリンク制御シグナリングの中の前記第１ＵＥの前記スケジューリング指示情報は、前記第１ＵＥの以下の情報：
リソース位置指示、変調及び符号化方式、ランク情報、コードブック行列インデックス、ハイブリッド自動再送要求プロセスの量、新規データ指示子情報、反復バージョン情報、又はアンテナポート情報、のうちの１又は複数の種類を有し、
前記ダウンリンク制御シグナリングの中の前記第２ＵＥの前記スケジューリング指示情報は、前記第２ＵＥの以下の情報：
パイロットを有しない直交周波数分割多重（ＯＦＤＭ）シンボルのデータ副搬送波電力のパイロット副搬送波電力に対する比ＰＡ、パイロットを有するＯＦＤＭシンボルのデータ副搬送波電力のパイロット副搬送波電力に対する比ＰＢ、無線ネットワーク一時識別子、又は変調及び符号化方式、のうちの１又は複数の種類を有する、
請求項８に記載の方法。
【請求項１２】
前記送信モードで、前記第１ＵＥがセル固有参照信号を用いることによりデータを復調し、前記第２ＵＥがユーザ固有参照信号を用いることによりデータを復調するとき、
前記ダウンリンク制御シグナリングの中の前記第１ＵＥの前記スケジューリング指示情報は、前記第１ＵＥの以下の情報：リソース位置指示、変調及び符号化方式、ランク情報、コードブック行列インデックス、ハイブリッド自動再送要求プロセスの量、新規データ指示子情報、又は反復バージョン情報、のうち１又は複数の種類を有し、及び
前記ダウンリンク制御シグナリングの中の前記第２ＵＥの前記スケジューリング指示情報は、前記第２ＵＥの以下の情報：
無線ネットワーク一時識別子、送信モード、変調及び符号化方式、アンテナポート情報、トランスポート層の量、前記第１ＵＥのデータのリソースエレメント当たりのエネルギ（ＥＰＲＥ）の前記第２ＵＥのデータのＥＰＲＥに対する比、前記第１ＵＥのデータのＥＰＲＥの前記第２ＵＥの専用パイロットのＥＰＲＥに対する比、又は専用パイロット電力情報、のうちの１又は複数の種類を有する、
請求項８に記載の方法。
【請求項１３】
前記ダウンリンク制御シグナリングの中の前記第２ＵＥの前記スケジューリング指示情報は、前記第２ＵＥの新規データ指示子情報及び前記第２ＵＥの反復バージョン情報のうちの少なくとも１つを更に有する、請求項８乃至１２のいずれか一項に記載の方法。
【請求項１４】
前記ダウンリンク制御シグナリングの中の前記第１ＵＥの前記スケジューリング指示情報は、前記第１ＵＥの以下の情報：
リソース位置指示、変調及び符号化方式、パイロットのリソースエレメント当たりのエネルギ（ＥＰＲＥ）の前記第１ＵＥのデータのＥＰＲＥに対する比、前記第１ＵＥのデータのＥＰＲＥの前記第２ＵＥのデータのＥＰＲＥに対する比、アンテナポート情報、ハイブリッド自動再送要求プロセスの量、新規データ指示子情報、又は反復バージョン情報、のうちの１又は複数の種類を有し、
前記ダウンリンク制御シグナリングの中の前記第２ＵＥの前記スケジューリング指示情報は、前記第２ＵＥの以下の情報：
リソース位置指示、変調及び符号化方式、前記パイロットの前記ＥＰＲＥの前記第２ＵＥの前記データの前記ＥＰＲＥに対する比、アンテナポート情報、ハイブリッド自動再送要求プロセスの量、新規データ指示子情報、又は反復バージョン情報、のうちの１又は複数の種類を有する、
請求項８に記載の方法。
【手続補正２】
【補正対象書類名】明細書
【補正対象項目名】００６３
【補正方法】変更
【補正の内容】
【００６３】
第１のケースでは、第１構成ユニット１０１が第１ＵＥに対して新送信モードを構成し、第１ＵＥがユーザ固有参照信号を用いることによりデータを復調し、第２ＵＥがユーザ固有参照信号を用いることによりデータを復調するとき、第１ダウンリンク制御シグナリングの中の第１ＵＥのスケジューリング指示情報は、具体的には、第１ＵＥの以下の情報、リソース位置指示、変調及び符号化方式、ハイブリッド自動再送要求プロセスの量、新規データ指示子情報、反復バージョン情報、パイロットのリソースエレメント当たりのエネルギ（energy  per  resource  element、ＥＰＲＥ）の第１ＵＥのデータのＥＰＲＥに対する比、トランスポート層の量、又はアンテナポート情報、のうち１又は複数の種類を有し、及び第１ダウンリンク制御シグナリングの中の第２ＵＥのスケジューリング指示情報は、具体的には、第２ＵＥの以下の情報、無線ネットワーク一時識別子、変調及び符号化方式、アンテナポート情報、パイロットのＥＰＲＥの第２ＵＥのデータのＥＰＲＥに対する比、第１ＵＥのデータのＥＰＲＥの第２ＵＥのデータのＥＰＲＥに対する比、データ電力情報、又はトランスポート層の量の情報、のうちの１又は複数の種類を有する。
【手続補正３】
【補正対象書類名】明細書
【補正対象項目名】００７３
【補正方法】変更
【補正の内容】
【００７３】
さらに、前述の種々のケースにおいて、第１送信ユニット１０２により第１ＵＥへ送信される第１ダウンリンク制御シグナリングは、第２ＵＥの新規データ指示子（new  data  indicator、ＮＤＩ）情報及び／又は反復バージョン情報を更に含んで良い。このように、第１ダウンリンク制御シグナリングを受信した後に、第１ＵＥは、第２ＵＥのＮＤＩ又は反復バージョンを決定することにより、第２ＵＥのデータが再送データか否かを決定できる。第２ＵＥのデータが再送データである場合、第１ＵＥは、干渉信号推定の前の結果を参照して干渉再構成を実行し、干渉再構成の結果に従い干渉除去を実行して良く、干渉信号推定の正確さが向上され得るようにする。
【手続補正４】
【補正対象書類名】明細書
【補正対象項目名】００７４
【補正方法】変更
【補正の内容】
【００７４】
以下で図２を参照すると、本発明における基地局の別の実施形態は、第１プロセッサ２０１、及び第１送信機２０２、を含む。
【国際調査報告】
2018505614.tif 000012
2018505614.tif 000013
2018505614.tif 000014
2018505614.tif 000015